(57)【要約】【課題】特定可変表示装置の表示結果がまだ導出表示されていない段階で権利発生状態が消滅した場合の遊技者が確率向上状態になるか否かを認識する時点が権利の消滅からかなり遅れてしまう不都合を防止する。【解決手段】判定図柄表示装置１０の表示結果が当りとなって回転体６２が右回転して玉が権利入賞玉検出スイッチ６６により検出されて権利発生状態となるとともに特定可変表示装置９９が可変開始され、その段階で再度判定図柄表示装置作動口９５からの検出出力により判定図柄表示装置１０が可変表示して当り図柄で停止した場合には、表示結果早期導出表示手段１９６の働きにより、特定可変表示装置９９が早期に停止されて表示結果が導出表示されるように制御する。【選択図】        図４
2004208916.tif 000002
【特許請求の範囲】
【請求項１】
遊技球が打込まれる遊技領域に設けられるとともに、遊技球が普通始動領域を通過することにより遊技者にとって不利な第２の状態から遊技者にとって有利な第１の状態に制御される普通可変入賞球装置と、
該普通可変入賞球装置に入賞した遊技球が所定の判定用領域を通過したときに該入賞球を検出する検出手段と、
該検出手段で遊技球が検出されたときに表示結果を導出するための可変表示を行なう判定用可変表示装置と、
該判定用可変表示装置により導出表示された表示結果が予め定められた特定の表示態様となったときに遊技球を権利発生用入賞領域に誘導する誘導装置と、
遊技者にとって有利な第１の状態と遊技者にとって不利な第２の状態とに変化可能な特別可変入賞球装置とを備え、
前記権利発生用入賞領域で遊技球が検出されたときに遊技者に有利な権利発生状態に制御され、該権利発生状態中に再度前記権利発生用入賞領域で遊技球が検出されたときに前記権利発生状態が消滅し、前記権利発生状態中に権利行使用入賞領域に遊技球が入賞することにより前記特別可変入賞球装置が第１の状態となる遊技機において、
前記権利発生用入賞領域で遊技球が検出されたときに表示結果を導出するための可変表示を行なう特定可変表示装置と、
前記特定可変表示装置にて可変表示を行なう時間を決定する可変時間決定手段と、
該特定可変表示装置により導出表示された表示結果が予め定められた特別の表示態様となったときに前記権利発生状態が消滅したことにもとづいて、該特別の表示態様とならなかったときに比べて前記判定用可変表示装置の表示結果が前記特定の表示態様となる確率を向上させる確率向上手段と、
前記特定可変表示装置が可変表示動作を行なっているときに前記権利発生用入賞領域で遊技球が検出されたときには、前記特定可変表示装置の表示結果を前記可変時間決定手段によって決定された時間が経過してなくても導出表示させる表示結果早期導出表示手段とを備えていることを特徴とする、遊技機。
【請求項２】
遊技球が打込まれる遊技領域に設けられるとともに、遊技領域内に打込まれた遊技球が入賞可能な入賞球装置と、
該入賞球装置に入賞した遊技球が所定の普通始動領域に入賞したときに該入賞球を検出する検出手段と、
該検出手段で遊技球が検出されたときに表示結果を導出するための可変表示を行なう普通可変表示装置と、
該普通可変表示装置により導出表示された表示結果が予め定められた特定の表示態様となったときに遊技球が入賞不可能な第２の状態から遊技球が入賞可能な第１の状態に制御される普通可変入賞球装置と、
該普通可変入賞球装置に入賞した遊技球が権利発生用入賞領域を通過したときに該入賞球を検出する権利発生入賞球検出手段と、
遊技者にとって有利な第１の状態と遊技者にとって不利な第２の状態とに変化可能な特別可変入賞球装置とを備え、
前記権利発生入賞球検出手段により遊技球が検出されたときに遊技者に有利な権利発生状態に制御され、該権利発生状態中に再度前記権利発生入賞球検出手段で遊技球が検出されたときに前記権利発生状態が消滅し、前記権利発生状態中に権利行使用入賞領域に遊技球が入賞することにより前記特別可変入賞球装置が第１の状態となる遊技機において、
前記権利発生入賞球検出手段で遊技球が検出されたときに表示結果を導出するための可変表示を行なう特定可変表示装置と、
前記特定可変表示装置にて可変表示を行なう時間を決定する可変時間決定手段と、
該特定可変表示装置により導出表示された表示結果が予め定められた特別の表示態様となったときに前記権利発生状態が消滅したことにもとづいて、該特別の表示態様とならなかったときに比べて前記普通可変表示装置の表示結果が前記特定の表示態様となる確率を向上させる確率向上手段と、
前記特定可変表示装置が可変表示動作を行なっているときに前記権利発生用入賞領域で遊技球が検出されたときには、前記特定可変表示装置の表示結果を前記可変時間決定手段によって決定された時間が経過してなくても導出表示させる表示結果早期導出表示手段とを備えていることを特徴とする、遊技機。
【請求項３】
前記権利発生状態は、前記権利行使用入賞領域に所定の上限個数の遊技球が入賞したときにも消滅し、
前記確率向上手段は、権利発生状態の消滅時または前記所定の上限個数に相当する遊技球が前記権利行使用入賞領域に入賞したことに基づいた前記特別可変入賞球装置の第１の状態の制御の終了後に、確率を向上させることを特徴とする、請求項１または請求項２に記載の遊技機。
【請求項４】
前記可変時間決定手段によって決定された時間を記憶する記憶手段と、
前記記憶手段に記憶された時間にもとづいて前記特定可変表示装置の可変表示を制御する可変制御手段をさらに含み、
前記表示結果早期導出表示手段は、前記記憶手段に記憶された時間を変更設定する変更設定手段を含むことを特徴とする、請求項１〜請求項３のいずれかに記載の遊技機。
【請求項５】
遊技機の遊技状態を制御するとともに、前記特定可変表示装置を制御するためのコマンドを出力する遊技制御手段と、
該遊技制御手段から送信されてきたコマンドに従って前記特定可変表示装置を制御する可変表示制御手段とをさらに含み、
前記表示結果早期導出表示手段は、前記可変時間決定手段によって決定された時間の経過前に表示結果を導出表示させるためのコマンドを前記可変表示制御手段へ送信するための処理を行なう早期導出コマンド送信手段を含むことを特徴とする、請求項１〜請求項４のいずれかに記載の遊技機。
【発明の詳細な説明】
【０００１】
【発明の属する技術分野】
本発明は、パチンコ遊技機やコイン遊技機などで代表される遊技機に関する。詳しくは、遊技球が打込まれる遊技領域に設けられるとともに、遊技球が普通始動領域を通過することにより遊技者にとって不利な第２の状態から遊技者にとって有利な第１の状態に制御される普通可変入賞球装置と、普通可変入賞球装置に入賞した遊技球が所定の判定用領域を通過したときに該入賞球を検出する検出手段と、検出手段で遊技球が検出されたときに表示結果を導出するための可変表示を行なう判定用可変表示装置と、判定用可変表示装置により導出表示された表示結果が予め定められた特定の表示態様となったときに遊技球を権利発生用入賞領域に誘導する誘導装置と、遊技者にとって有利な第１の状態と遊技者にとって不利な第２の状態とに変化可能な特別可変入賞球装置とを備え、権利発生用入賞領域で遊技球が検出されたときに遊技者に有利な権利発生状態に制御され、権利発生状態中に再度前記権利発生用入賞領域で遊技球が検出されたときに権利発生状態が消滅し、権利発生状態中に権利行使用入賞領域に遊技球が入賞することにより特別可変入賞球装置が第１の状態となる遊技機に関する。
【０００２】
【従来の技術】
この種の遊技機として従来から一般的に知られているものに、たとえば、判定図柄タイプあるいは普通図柄タイプの第３種の遊技機がある。判定図柄タイプの遊技機の場合には、普通可変入賞球装置内に入賞した遊技球が所定の判定用領域に入賞することにより判定用可変表示装置が可変開始した後表示結果が導出表示され、その表示結果が予め定められた特定の表示態様（たとえばぞろ目）となったことを条件として遊技球が誘導装置により権利発生用入賞領域に誘導され、権利発生用入賞領域に入賞することにより権利発生状態となる。その権利発生状態中に遊技球が権利行使用入賞領域に入賞することにより特別可変入賞球装置が遊技者にとって不利な第２の状態から遊技者にとって有利な第１の状態に制御されるように構成されていた。
【０００３】
一方、普通図柄タイプの遊技機の場合には、入賞球装置内に入賞した遊技球が所定の普通始動領域に入賞することにより普通可変表示装置が可変開始された後表示結果が導出表示され、その表示結果が予め定められた特定の表示態様（たとえばぞろ目）となったことを条件として普通可変入賞球装置が遊技者にとって不利な第２の状態から遊技者にとって有利な第１の状態に制御され、その普通可変入賞球装置内に進入した遊技球が特定入賞領域に入賞することにより権利発生状態となる。その権利発生状態中に権利行使用入賞領域に遊技球が入賞することにより特別可変入賞球装置が遊技者にとって不利な第２の状態から遊技者にとって有利な第１の状態に制御されるように構成されていた。
【０００４】
一方、この種の第３種の遊技機において、判定用可変表示装置や普通可変表示装置とは別に特定可変表示装置が設けられ、その特定可変表示装置が可変表示した後導出表示された表示結果が所定の表示態様となったときに、前記判定用可変表示装置または前記普通可変表示装置の表示結果が前記予め定められた特定の表示態様（たとえばぞろ目）となる確率が向上するように構成されたものがあった（たとえば、特許文献１参照）。
【０００５】
【特許文献１】
特開２０００−１０７３８０号公報
【０００６】
【発明が解決しようとする課題】
一方、特許文献１に記載のような遊技機において、権利発生用入賞領域に遊技球が入賞することにより特定可変表示装置が可変開始した後表示結果が導出表示されるように構成した場合に、権利発生状態中再度判定用可変表示装置あるいは普通可変表示装置が可変開始して表示結果が導出表示されてそれが特定の表示態様となったときには、遊技球が再度権利発生用入賞領域に入賞して現時点で発生している権利発生状態が消滅してしまう場合があり、権利発生状態が消滅したにもかかわらず特定可変表示装置が通常どおり可変表示動作を続行してなかなか表示結果が導出表示されない状態となる。
【０００７】
その結果、権利発生状態が消滅した後においても特定可変表示装置の表示結果がなかなか導出表示されず、特定可変表示装置の表示結果を通して遊技者が確率向上状態になるか否かを認識することが権利の消滅からかなり遅れてしまうという不都合が生じる欠点があった。
【０００８】
本発明は、係る実情に鑑み考え出されたものであり、その目的は、特定可変表示装置の表示結果がまだ導出表示されていない段階で権利発生状態が消滅した場合の遊技者が確率向上状態になるか否かを認識する時点が権利の消滅からかなり遅れてしまう不都合を防止できる遊技機を提供することである。
【０００９】
【課題を解決するための手段の具体例およびその効果】
（１）  遊技球が打込まれる遊技領域に設けられるとともに、遊技球が普通始動領域（普通電動役物作動口１２）を通過することにより遊技者にとって不利な第２の状態から遊技者にとって有利な第１の状態に制御される普通可変入賞球装置（普通可変入賞球装置１５）と、
該普通可変入賞球装置に入賞した遊技球が所定の判定用領域（当り玉入賞口９１ａ）を通過したときに該入賞球を検出する検出手段（判定図柄表示装置作動口スイッチ９５）と、
該検出手段で遊技球が検出されたときに表示結果を導出するための可変表示を行なう判定用可変表示装置（判定図柄表示装置１０）と、
該判定用可変表示装置により導出表示された表示結果が予め定められた特定の表示態様（たとえばぞろ目）となったときに遊技球を権利発生用入賞領域（権利入賞口６８）に誘導する誘導装置（回転体６２）と、
遊技者にとって有利な第１の状態と遊技者にとって不利な第２の状態とに変化可能な特別可変入賞球装置（特別可変入賞球装置１９）とを備え、
前記権利発生用入賞領域で遊技球が検出されたときに遊技者に有利な権利発生状態に制御され（ＳＥ１２）、該権利発生状態中に再度前記権利発生用入賞領域で遊技球が検出されたときに（ＳＥ０８とＳＥ１１との両者でＹＥＳの判断がなされたときに）前記権利発生状態が消滅し（ＳＥ１３）、前記権利発生状態中に権利行使用入賞領域（第３種始動入賞口１８）に遊技球が入賞することにより前記特別可変入賞球装置が第１の状態となる遊技機において、
前記権利発生用入賞領域で遊技球が検出されたときに表示結果を導出するための可変表示を行なう特定可変表示装置（特定可変表示装置９９）と、
前記特定可変表示装置にて可変表示を行なう時間を決定する可変時間決定手段と（図１１および図１９のＳＨ０３等参照）、
該特定可変表示装置により導出表示された表示結果が予め定められた特別の表示態様（たとえば１，３，５，７のいずれか）となったときに前記権利発生状態が消滅したことにもとづいて、該特別の表示態様とならなかったときに比べて前記判定用可変表示装置の表示結果が前記特定の表示態様となる確率を向上させる確率向上手段（図４の確率向上手段１９５）と、
前記特定可変表示装置が可変表示動作を行なっているときに前記権利発生用入賞領域で遊技球が検出されたとき（ＳＨ０２によりＮＯの判断がなされるかまたはＳＨ１１によりＹＥＳの判断がなされることとなる）には、前記特定可変表示装置の表示結果を前記可変時間決定手段によって決定された時間が経過してなくても導出表示させる表示結果早期導出表示手段（表示結果早期導出表示手段１９６）とを備えていることを特徴とする、遊技機。
【００１０】
このような構成によれば、特定可変表示装置が予め定められた可変表示時間可変表示した後表示結果を導出表示する可変表示動作を行なった場合には該可変表示動作を行なっているときに権利発生用入賞領域で遊技球が検出されたときには、特定可変表示装置の表示結果が可変時間決定手段によって決定された時間が経過してなくても導出表示されるために、特定可変表示装置による表示結果導出表示以前の段階で再度遊技球が権利発生用入賞領域に入賞して、権利発生状態が消滅した後においても特定可変表示装置が通常どおり可変表示を続行してなかなか表示結果が導出表示されない不都合を防止できる遊技機を提供できる。
【００１１】
（２）  遊技球が打込まれる遊技領域に設けられるとともに、遊技領域内に打込まれた遊技球が入賞可能な入賞球装置（特別入賞装置８ａ）と、
該入賞球装置に入賞した遊技球が所定の普通始動領域（当り玉入賞口９１ａ）に入賞したときに該入賞球を検出する検出手段（普通図柄表示装置作動口スイッチ９５ａ）と、
該検出手段で遊技球が検出されたときに表示結果を導出するための可変表示を行なう普通可変表示装置（普通図柄表示装置１１）と、
該普通可変表示装置により導出表示された表示結果が予め定められた特定の表示態様（たとえばぞろ目）となったときに遊技球が入賞不可能な第２の状態から遊技球が入賞可能な第１の状態に制御される普通可変入賞球装置（普通可変入賞球装置１２３）と、
該普通可変入賞球装置に入賞した遊技球が権利発生用入賞領域（権利発生用入賞口１２０）を通過したときに該入賞球を検出する権利発生入賞球検出手段（権利入賞玉検出スイッチ１２０ａ）と、
遊技者にとって有利な第１の状態と遊技者にとって不利な第２の状態とに変化可能な特別可変入賞球装置（特別可変入賞球装置１９）とを備え、
前記権利発生入賞球検出手段により遊技球が検出されたときに遊技者に有利な権利発生状態に制御され、該権利発生状態中に再度前記権利発生入賞球検出手段で遊技球が検出されたときに前記権利発生状態が消滅し、前記権利発生状態中に権利行使用入賞領域（第３種始動入賞口１８）に遊技球が入賞することにより前記特別可変入賞球装置が第１の状態となる遊技機において、
前記権利発生入賞球検出手段で遊技球が検出されたときに表示結果を導出するための可変表示を行なう特定可変表示装置（図２１の特定可変表示装置９９）と、
前記特定可変表示装置にて可変表示を行なう時間を決定する可変時間決定手段（図１１および図１９のＳＨ０３等参照）と、
該特定可変表示装置により導出表示された表示結果が予め定められた特別の表示態様（たとえば１，３，５，７のいずれか）となったときに前記権利発生状態が消滅したことにもとづいて、該特別の表示態様とならなかったときに比べて前記普通可変表示装置の表示結果が前記特定の表示態様となる確率を向上させる確率向上手段（図２１の確率向上手段１９５）と、
前記特定可変表示装置が可変表示動作を行なっているときに前記権利発生用入賞領域で遊技球が検出されたとき（ＳＨ０２によりＮＯの判断がなされるかまたはＳＨ１１によりＹＥＳの判断がなされることとなる）には、前記特定可変表示装置の表示結果を前記可変時間決定手段によって決定された時間が経過してなくても導出表示させる表示結果早期導出表示手段（表示結果早期導出表示手段１９６）とを備えていることを特徴とする、遊技機。
【００１２】
このような構成によれば、特定可変表示装置が予め定められた可変表示時間可変表示した後表示結果を導出表示する可変表示動作を行なった場合には該可変表示動作を行なっているときに権利発生用入賞領域で遊技球が検出されたときには、特定可変表示装置の表示結果が可変時間決定手段によって決定された時間が経過してなくても導出表示されるために、特定可変表示装置による表示結果導出表示以前の段階で再度遊技球が権利発生用入賞領域に入賞して、権利発生状態が消滅した後においても特定可変表示装置が通常どおり可変表示を続行してなかなか表示結果が導出表示されない不都合を防止できる遊技機を提供できる。
【００１３】
（３）  前記権利発生状態は、前記権利行使用入賞領域に所定の上限個数の遊技球が入賞したときにも消滅し（ＳＦ０２〜ＳＦ０５）、
前記確率向上手段は、権利発生状態の消滅時（ＳＦ０５ａ、ＳＦ０５ｂ、ＳＦ０５ｃ）または前記所定の上限個数に相当する遊技球が前記権利行使用入賞領域にの入賞したことに基づいた前記特別可変入賞球装置の第１の状態の制御の終了後に（ＳＦ１６ａ、ＳＦ１６ｂ）、確率を向上させることを特徴とする。
【００１４】
このような構成によれば、権利発生状態が消滅した後確率向上手段による確率の向上が行なわれるために、確率向上状態の開始タイミングが遊技者にわかりやすくなる。
【００１５】
（４）  前記可変時間決定手段によって決定された時間を記憶する記憶手段（図１１および図１９のＳＨ０３，ＳＨ０４等参照）と、
前記記憶手段に記憶された時間にもとづいて前記特定可変表示装置の可変表示を制御する可変制御手段（図１１および図１９のＳＨ０５等参照）をさらに含み、
前記表示結果早期導出表示手段は、前記記憶手段に記憶された時間を変更設定する変更設定手段（ＳＨ０６またはＳＨ１２〜ＳＨ１４）を含むことを特徴とする。
【００１６】
このような構成によれば、通常時においては変更設定手段による可変表示時間の変更設定を行なわなくてよく、可変表示時間決定手段により決定された可変表示時間に従って可変表示制御を行なえば事足りるために、状況に応じて確実に特定可変表示装置を制御できる。
【００１７】
（５）  遊技機の遊技状態を制御するとともに、前記特定可変表示装置を制御するためのコマンドを出力する遊技制御手段（遊技制御基板３１）と、
該遊技制御手段から送信されてきたコマンドに従って前記特定可変表示装置を制御する表示制御手段（表示制御基板８０）とをさらに含み、
前記表示結果早期導出表示手段は、前記可変時間決定手段によって決定された時間の経過前に表示結果を導出表示させるためのコマンドを前記可変表示制御手段へ送信するための処理を行なう早期導出コマンド送信手段（ＳＨ１０ａ、ＳＡ０８ａ）を含む。
【００１８】
このような構成によれば、早期導出コマンド送信手段による早期に表示結果を導出表示させるためのコマンドが可変表示制御手段に送信されて特定可変表示装置の表示結果が早期に導出表示され、状況に応じて確実に特定可変表示装置を制御できる。
【００１９】
【発明の実施の形態】
以下に、本発明の実施の形態を図面にもとづいて説明する。なお、以下の実施の形態においては、遊技機の一例としてパチンコ遊技機を示すが、コイン遊技機等であってもよく、遊技球が打込まれる遊技領域に設けられるとともに、遊技球が普通始動領域を通過することにより遊技者にとって不利な第２の状態から遊技者にとって有利な第１の状態に制御される普通可変入賞球装置と、普通可変入賞球装置に入賞した遊技球が所定の判定用領域を通過したときに該入賞球を検出する検出手段と、検出手段で遊技球が検出されたときに表示結果を導出するための可変表示を行なう判定用可変表示装置と、判定用可変表示装置により導出表示された表示結果が予め定められた特定の表示態様となったときに遊技球を権利発生用入賞領域に誘導する誘導装置と、遊技者にとって有利な第１の状態と遊技者にとって不利な第２の状態とに変化可能な特別可変入賞球装置とを備え、権利発生用入賞領域で遊技球が検出されたときに遊技者に有利な権利発生状態に制御され、権利発生状態中に再度前記権利発生用入賞領域で遊技球が検出されたときに権利発生状態が消滅し、権利発生状態中に権利行使用入賞領域に遊技球が入賞することにより特別可変入賞球装置が第１の状態となる遊技機であればすべて対象となる。
【００２０】
まず、遊技機の一例であるパチンコ遊技機の全体の構成について説明する。この実施の形態では、作動口への入賞にもとづいて開放する普通電動役物に遊技球が入賞し特別装置作動判定図柄ゲートを通過したことにもとづいて変動表示される図柄の停止図柄が所定の図柄の組み合わせになり遊技球が特別領域に入賞すると所定の権利が発生（特別装置作動）するパチンコ遊技機（第３種パチンコ遊技機）について説明する。図１はいわゆる判定図柄タイプの第３種のパチンコ遊技機１を正面からみた正面図である。
【００２１】
図１に示すように、パチンコ遊技機１は、額縁状に形成されたガラス扉枠２を有する。ガラス扉枠２の下部表面には打球供給皿３がある。打球供給皿３の下部には、打球供給皿３からあふれた遊技球を貯留する余剰玉受皿４と打球を発射する打球操作ハンドル（操作ノブ）５が設けられている。ガラス扉枠２の後方には、遊技盤６が着脱可能に取り付けられている。また、遊技盤６の前面には遊技領域７が設けられている。
【００２２】
遊技領域７の中央付近の上方には、複数種類の識別情報（図柄）を変動表示するための可変表示装置（判定図柄表示装置または特別装置作動判定図柄表示装置とも言う）１０が設けられている。判定図柄表示装置１０には、たとえば「左」、「右」の２つの図柄表示エリアがある。判定図柄表示装置１０の下部には、普通電動役物（普通可変入賞球装置装置とも言う）１５、振分部材２３５および誘導部４０が設けられている。誘導部４０の下部には、入賞しなかった打球を吸収するアウト口２６がある。また遊技領域７の左右周辺には、遊技中に点滅表示される装飾ランプ２２５が設けられている。
【００２３】
遊技領域７における左側下部には、普通電動役物作動口１２が設けられている。また、遊技領域７における右側上部には、第３種始動入賞口１８が設けられている。第３種始動入賞口１８は回転体１１１を有し、第３種始動入賞口１８における回転体１１１の下部には、特別可変入賞球装置１９が設けられており、その特別可変入賞球装置１９の大入賞口を開放するための開閉板１９ａが設けられている。さらに、遊技領域７には、複数の普通入賞口２１７，２１８，２１９，２２４が設けられている。また、遊技領域７の外側左右上部には、効果音を発生する２つのスピーカ（図示せず）が設けられており、遊技領域７の外周には、遊技効果ランプが設けられている。さらに、図１には、パチンコ遊技機１に隣接して設置され、プリペイドカードが挿入されることにより球貸しを可能にするカードユニット５０も示されている。
【００２４】
図２は、遊技盤６を正面から見た正面図である。打球発射装置から発射された遊技球は、外レール２０１と内レール２０２との間を通って遊技領域７に入り、その後、遊技領域７を流下していく。打球が普通電動役物作動口１２を通って普通電役作動口スイッチ１３で検出されると、普通電動役物１５が作動して遊技球が入賞しやすい開放状態となる。遊技球がその普通電動役物１５に入賞すれば、その入賞球が特定入賞口スイッチ６９で検出されるとともに、振分部材２３５に入る。その後、誘導部４０における判定図柄表示装置作動口スイッチ９５を通過すると、判定図柄表示装置１１において図柄が変動を始める。
【００２５】
遊技領域７において、普通入賞口２１７，２１８，２１９，２２４に入賞した遊技球は、それぞれ、入賞口スイッチ２１７ａ，２１８ａ、２１９ａ、２２４ａで検出される。入賞口スイッチ２１７ａ，２１８ａ，２１９ａ，２２０ａ，２２４ａおよび特定入賞口スイッチ６９で遊技球が検出されると、所定個数の遊技球が景品として払出される。また、権利発生中において大入賞口に入賞した遊技球はカウントスイッチ２３で検出される。カウントスイッチ２３で遊技球が検出されると、所定個数の遊技球が景品として払出される。そして、カウントスイッチ２３による遊技球の検出数が所定数になると大入賞口は閉成する。
【００２６】
図３は、普通電動役物１５、振分部材２３５および誘導部４０の構成を詳細に示す正面図である。普通電動役物１５には左右の開閉翼片２３３，２３４が設けられ、開閉翼片２３３，２３４が外側に倒れることによって特定入賞口２３２が入賞しやすい状態になる。すなわち、普通電動役物１５が作動している状態になる。なお、普通電動役物１５は、遊技球が普通電動役物作動口１２に入賞して普通電役作動口スイッチ１３で検出されたことに応じて作動開始する。また、開閉翼片２３３，２３４は、ソレノイド（図示せず：以下、普通電役ソレノイドという。）によって外側に倒れる。
【００２７】
なお、普通電動役物１５、振分部材２３５および誘導部４０からなる構造において、特定入賞口２３２以降の領域が特定領域を形成する。また、この実施の形態では、普通電動役物１５、振分部材２３５および誘導部４０の各部材が分かれて設けられているが、その部材が一体として形成されていてもよい。
【００２８】
特定入賞口２３２に遊技球が入賞すると、遊技球は特定入賞口スイッチ６９で検出される。特定入賞口スイッチ６９で遊技球が検出されると、所定個数の遊技球が景品として払出される。特定入賞口３２２に入賞した遊技球は、振分部材２３５に進入する。この実施の形態では、振分部材２３５として、３つの穴を有し、揺動可能な、いわゆる３穴クルーン９０が用いられている。３穴クルーン９０に進入した遊技球は３穴のうちのいずれかに入る。３穴のうちの一つは、誘導部４０に至る当り玉入賞口９１ａである。他の穴ははずれ玉入賞口９２ａであり、そこに入った遊技球は機外に排出される。
【００２９】
当り玉入賞口９１ａを流下した遊技球は、判定図柄表示装置作動口領域に設けられた判定図柄表示装置作動口スイッチ９５を通過して、誘導部材としての回転体６２に至る。回転体６２は、遊技球を受けるような玉受入凹部６３が設けられている。判定図柄表示装置作動口スイッチ９５で遊技球が検出されると、判定図柄表示装置１０において図柄の変動が開始される。また、遊技球は回転部材６２の球受入凹部６３に貯留される。図３に示す構造から明らかなように、回転部材６２に遊技球が貯留される場合、その遊技球は判定図柄表示装置作動領域（判定図柄表示装置作動口スイッチ９５が設けられている領域）の部分に停留しない。すなわち、遊技球貯留中では、判定図柄表示装置作動口スイッチ９５が遊技球を検出することになる位置に遊技球は存在しない。
【００３０】
なお、遊技球が判定図柄表示装置作動口スイッチ９５を通過して検出された後では、判定図柄表示装置作動口スイッチ９５の検出がソフトウェア的に無効にされる。ソフトウェア的に無効にされるとは、遊技制御手段が、判定図柄表示装置作動口スイッチ９５の検出信号を無視することである。また、判定図柄表示装置作動口スイッチ９５の上部には、通過阻止部材としてのシャッター２４５が設けられている。シャッター２４５は、ソレノイド（図示せず：以下、シャッターソレノイドという。）によって、判定図柄表示装置作動口スイッチ９５の検出が無効にされるのと同タイミングで閉状態になる。シャッター２４５によって、後続の遊技球が特定入賞口２３２に入賞したとしても、回転体６２にまで導かれることが防止される。すなわち、シャッター２４５によって流下が阻止され、左右に設けられている排出口２４７に導かれる。また、判定図柄表示装置作動口スイッチ９５の検出が無効にされることによって、後続の遊技球によって判定図柄表示装置１０における変動開始の条件が再度成立してしまうということが防止される。
【００３１】
なお、判定図柄表示装置作動口スイッチ９５の検出のソフトウェア的な無効期間は、たとえば、回転体６２の回転動作終了時まで継続する。また、回転体６２の回転終了時には、シャッター２４５が開状態にされる。すなわち、回転体６２の動作終了に関連して、判定図柄表示装置作動口スイッチ９５の検出の無効が解除され、シャッター２４５はシャッターソレノイドによって開状態にされる。
【００３２】
判定図柄表示装置１０における図柄の変動は、予め決められている所定時間が経過すると停止する。すると、回転体６２は、ステッピングモータである誘導部材駆動モータ（図示せず）によって、左方向または右方向に回転する。判定図柄表示装置１０における停止図柄が当り図柄（たとえば左右図柄が揃ったぞろ目の図柄の組合せ）であった場合には回転体６２は右回りに回転して、玉受入凹部６３に貯留されていた遊技球を権利入賞口６８側に誘導する。
【００３３】
判定図柄表示装置１０における停止図柄が当り図柄でなかった場合には回転体６２は左回りに回転して、玉受入凹部６３に貯留されていた遊技球をはずれ入賞口６５側に誘導する。なお、回転体１１１は、ステッピングモータである回転体モータ（図示せず）によって回転する。
【００３４】
回転体６２の右側には、回転体６２が右回転すると、玉受入凹部６３に貯留されている遊技球を検出する権利入賞玉検出スイッチ６６が設けられている。また、回転体６２の左側には、回転体６２が左回転すると、玉受入凹部６３に貯留されている遊技球を検出するはずれスイッチ４９が設けられている。
【００３５】
また、普通電動役物１５の正面側には、特定可変表示装置（確変用可変表示装置ともいう）９９が設けられている。この特定可変表示装置９９は、前述した判定図柄表示装置１０の表示結果がぞろ目となって当りとなる確率が向上するか否かを抽選表示するための可変表示装置である。前述した権利入賞玉検出スイッチ６６による入賞球の検出信号に基づいて、この特定可変表示装置９９が可変開始され、その後所定時間の経過により停止表示され、その停止時の表示結果が所定の表示態様（たとえば１または３または５または７のいずれか）となったことに応じて、以降判定図柄表示装置１０が当りの表示結果となる確率が向上した確率向上状態（確変）となる。これについては後に詳しく説明する。
【００３６】
図４は、図１、図２に示したパチンコ遊技機における要部を説明するための構成図である。
【００３７】
普通可変入賞球装置作動口１２にパチンコ玉が入賞することにより、普通電動役物１５の左右１対の可動部材１６が所定期間開成する。その普通電動役物１５の下方には、クルーン９０からなる振分け部材が設けられており、普通電動役物１５内に進入したパチンコ玉がそのクルーン９０上で回転して当り玉入賞口９１ａ、はずれ玉入賞口９２ａのいずれかに振分けられて入賞する。当り玉入賞口９１ａに入賞した入賞玉は、入賞球誘導通路１１４により誘導されて判定図柄表示装置作動口スイッチ９５により検出される。
【００３８】
判定図柄表示装置作動口スイッチ９５により検出された入賞玉は、回転体６２の玉受入凹部６３に受入れられ、前述したように、権利入賞玉検出スイッチ６６またははずれスイッチ４９のいずれかの方向に振分けられる。一方、はずれ玉入賞口９２ａに進入したパチンコ玉は、はずれ玉誘導通路１１５により誘導されて機外に排出される。
【００３９】
図中、１８は第３種始動口であり、回転体１１１の凹部（第３種始動口）に受入れられた玉が回転体１１１により回転されて第３種始動口入賞玉検出スイッチ２０により検出される。１９は特別可変入賞球装置である。１０は判定図柄表示装置である。
【００４０】
権利入賞玉検出スイッチ６６により入賞玉が検出されれば、その検出信号に基づいて確率向上判定手段１９８が前述した確率向上状態（確変）にするか否かを抽選により判定する。そしてその抽選結果確変にするかまたは否確変にするかの判定内容が、確変用可変表示制御手段１９７に与えられる。
【００４１】
この確変用可変表示制御手段１９７は、前述した権利入賞玉検出スイッチ６６による入賞玉の検出信号に基づいて、特定可変表示装置９９を可変開始させた後所定時間の経過により停止させて表示結果を導出表示させる制御を行なう。その際に、確率向上判定手段１９８から確変にする旨の判定結果が入力されていれば、確変用可変表示制御手段１９７は、確変となる当り図柄（たとえば１，３，５，７のうちのいずれか）で特定可変表示装置９９を停止制御する。一方、否確変である旨の判定結果が入力されておれば確変用可変表示制御手段１９７は、はずれ図柄（２，４，６，８，９）で特定可変表示装置９９を停止制御する。
【００４２】
確率向上判定手段１９８の判定結果は、確率向上手段１９５にも与えられる。確率向上手段１９５は、判定図柄表示装置作動口スイッチ９５からの入賞玉の検出信号に応じて、判定図柄表示装置１０の表示結果を当りにするかはずれにするかを抽選により決定する機能を有し、その決定の際に、確率向上状態のときには高確率で当り判定を行ない、否確変のときには低確率で当り判定を行なう機能を有する。確率向上手段１９５は、その当りはずれの判定結果を、判定図柄用可変表示制御手段１９４へ与える。
【００４３】
判定図柄用可変表示制御手段１９４は、判定図柄表示装置作動口スイッチ９５の入賞玉検出信号に従って判定図柄表示装置１０を可変開始させた後所定時間経過後に停止させて表示結果を導出表示させる制御を行なうものである。その停止表示制御の際に、確率向上手段１９５からの当りはずれの判定結果に従って、当りの判定結果が与えられている場合には判定図柄表示装置１０をぞろ目の当り図柄で停止制御し、はずれの判定結果が与えられている場合には判定図柄表示装置１０をぞろ目以外のはずれの表示結果で停止制御する。
【００４４】
確変用可変表示制御手段１９７内には、表示結果早期導出表示手段１９６が設けられている。特定可変表示装置９９が可変表示中にパチンコ玉が再度判定図柄表示装置作動口スイッチ９５により検出されて判定図柄表示装置１０が変動してその表示結果が当りとなりパチンコ玉が再度権利入賞玉検出スイッチ６６により検出されたときに、この表示結果早期導出表示手段１９６の働きにより特定可変表示装置９９が早期に停止制御される。その結果、権利発生状態中に再度パチンコ玉が権利入賞玉検出スイッチ６６により検出されて権利発生状態が消滅（終了）したにもかかわらず特定可変表示装置９９が通常どおり可変表示動作してなかなか表示結果が導出表示されず、遊技者がなかなか確率向上状態になるか否かを認識できない不都合が防止できる。
【００４５】
図５は、遊技制御基板３１における回路構成の一例を示すブロック図である。図５には、制御基板として、遊技制御基板（主基板ともいう）３１、払出制御基板３７、ランプ制御基板３５、音制御基板７０、駆動制御基板７１および表示制御基板８０が示されている。
【００４６】
払出制御基板３７、ランプ制御基板３５、音制御基板７０および表示制御基板８０には、マイクロコンピュータ等が搭載されており、たとえば、ＣＰＵ（Ｃｅｎｔｒａｌ  Ｐｒｏｃｅｓｓｉｎｇ  Ｕｎｉｔ）やＩ／Ｏポートが設けられている。
【００４７】
払出制御基板３７には、球払出装置９７、および、カードユニット５０が接続される。ランプ制御基板３５には、遅延表示ランプ２９９、遊技効果ＬＥＤ２８ａ，２８ｂ，２８ｃ、賞球ランプ５１、球切れランプ５２、役物飾りランプ７６および、装飾ランプ２５が接続される。音制御基板７０にはスピーカ２７が接続される。
【００４８】
駆動制御基板７１には、回転体９０を回転させるための回転体用モータ９３、玉振分用の回転体６２を回転させるための振分装置用モータ６１および、第３種始動入賞口１８の回転体を回転させるための第３種始動口用モータ９６が接続されている。
【００４９】
表示制御基板８０には、権利発生状態にさせるか否かにかかわる表示結果を導出表示する判定図柄表示装置１０と、特定可変表示装置（確変用可変表示装置）９９とが接続されている。
【００５０】
遊技制御基板３１には、遊技制御プログラムにしたがってパチンコ遊技機１を制御する基本回路（遊技制御用マイクロコンピュータ）５３と、スイッチ回路５８と、ソレノイド回路５９と、情報出力回路６４と、アドレスデコード回路６７とが設けられている。
【００５１】
基本回路５３は、遊技制御用のマイクロコンピュータであり、遊技制御用のプログラム等を記憶するＲＯＭ（Ｒｅａｄ  Ｏｎｌｙ  Ｍｅｍｏｒｙ）５４、ワークメモリとして使用されるＲＡＭ（Ｒａｎｄｏｍ  Ａｃｃｅｓｓ  Ｍｅｍｏｒｙ）５５、制御用のプログラムにしたがって制御動作を行なうＣＰＵ５６、Ｉ／Ｏポート５７を含む。基本回路５３は、定期的（たとえば２ｍｓｅｃ毎）にＲＯＭ５４に記憶されている遊技制御プログラムを先頭から繰返し実行する。たとえば、図６を用いて後述する処理を実行する。なお、払出制御基板３７、音制御基板７０、ランプ制御基板３５、駆動制御基板７１および表示制御基板８０もかかる基本回路５３と同様の構成を有している。
【００５２】
スイッチ回路５８は、各種スイッチからの信号を基本回路５３に与える回路である。スイッチ回路５８には、普通電動役物作動口スイッチ１３、判定図柄表示装置作動口スイッチ９５、確変判定用スイッチ１１２、はずれスイッチ４９、カウントスイッチ２３、権利入賞玉検出スイッチ６６、通常入賞玉検出スイッチ９８、第３種始動口入賞玉検出スイッチ２０、特定入賞口スイッチ６９、満タンスイッチ４８、玉切スイッチ４７、および、賞球カウントスイッチ５５等が接続される。
【００５３】
情報出力回路６４は、基本回路５３から与えられるデータにしたがって、確率変動が生じて確率変動状態となっていることを示す確変情報、権利発生状態となっていることを示す大当り情報、普通電動役物作動口１２に入賞した回数、判定図柄表示装置１０が当りの表示態様を導出表示した回数等を示す情報をホール用管理コンピュータ等のホストコンピュータに対して出力する回路である。
【００５４】
ソレノイド回路５９は、普通可変入賞球装置１５の可動部材１６を動作させる特定入賞口用ソレノイド１７および特別可変入賞球装置１９の可動部材２１を動作させる第３種特別電動役物用ソレノイド２２を遊技制御用マイクロコンピュータ５３からの指令に従って駆動する回路である。
【００５５】
遊技制御基板３１から払出制御基板３７、音制御基板７０、ランプ制御基板３５、駆動制御基板７１および表示制御基板８０には、指令情報の一例となるコマンドが送信される。
【００５６】
遊技制御基板３１から払出制御基板３７に伝送されるコマンドには、賞球の払出制御に関する指令情報としてのコマンドと、貸玉の払出制御に関する指令情報としてのコマンド（たとえば、玉貸し禁止コマンド、玉貸し禁止解除コマンド等）とが含まれる。
【００５７】
遊技制御基板３１から表示制御基板８０に伝送されるコマンドは、判定図柄の表示結果を導出する判定図柄表示装置１０の可変表示制御に関する指令情報として用いられる表示制御コマンドと、特定可変表示装置９９の可変表示制御に関する指令情報として用いられる表示制御コマンドとである。可変表示制御は、送信されてきた表示制御コマンドにもとづいて表示制御基板８０に搭載されている表示制御用マイクロコンピュータによって行なわれる。この表示制御コマンドはそれぞれ１バイトデータからなるＭＯＤＥデータとＥＸＴデータとの２組の２バイトデータから構成されている。ＭＯＤＥデータは変動開始コマンドや確定図柄指定コマンド等のコマンド種別を示すデータであり、ＥＸＴデータはＭＯＤＥデータにより示されたコマンド種別のうちの特定の表示制御内容を具体的に指定するデータである。
【００５８】
具体的には、遊技制御基板３１は、当り玉入賞口９１ａに打玉が入賞したことを判定図柄表示装置作動口スイッチ９５により検出され、検出されたことにもとづいて判定図柄表示装置１１の可変表示を開始させる表示制御コマンド（たとえば、変動パターンコマンドや図柄確定コマンド等）を表示制御基板８０に送信する。また、遊技制御基板３１は、権利入賞玉検出スイッチ６６により入賞玉が検出されたことに基づいて特定可変表示装置９９の可変表示を開始させる表示制御コマンド（たとえば、変動パターンコマンドや図柄確定コマンド等）を表示制御基板８０に送信する。一方、表示制御基板８０は、かかる表示制御コマンドを解析し、解析結果にもとづいて判定図柄表示装置１０や特定可変表示装置９９の表示状態を表示制御する。
【００５９】
遊技制御基板３１から駆動制御基板７１に伝送されるコマンドは、各種回転体９０，６２，１１１を回転させるためのモータの回転制御に関する指令情報として用いられる駆動制御コマンドである。回転制御は、送信されてきた駆動制御コマンドにもとづいて駆動制御基板７１に搭載されている駆動制御用マイクロコンピュータによって行なわれる。
【００６０】
具体的には、遊技制御基板３１は、判定図柄表示装置１０に表示結果を導出表示させるための表示制御コマンド（たとえば、図柄確定コマンド等）を送信し、かつ、モータを時計回りに１回転させるか、反時計回りに１回転させるか否かの指令の駆動制御コマンドを送信する。一方、駆動制御基板７１は、かかる駆動制御コマンドを解析し、解析結果にもとづいてモータの回転を行ない、回転体を時計回りまたは反時計回りに回転させることができる。
【００６１】
また、遊技制御基板３１から音制御基板７０に伝送されるコマンドは、スピーカ２７から出力される効果音等の音声の制御に関する指令情報として用いられる音制御コマンドである。音制御基板７０では、音制御用マイクロコンピュータが搭載されており、この音制御用マイクロコンピュータが、音制御コマンドに応じてスピーカ２７からの出力される音声の制御を行なう。
【００６２】
さらに、遊技制御基板３１からランプ制御基板３５に伝送されるコマンドは、遊技効果ＬＥＤ２８ａ、賞球ランプ５１、玉切れランプ５２、および、装飾ランプ２５の制御のための指令情報として用いられるランプ制御コマンドである。ランプ制御基板３５では、ランプ制御用マイクロコンピュータが搭載されており、かかるランプ制御用マイクロコンピュータが、ランプ制御コマンドに応じて制御対象機器を駆動する制御を行なう。
【００６３】
基本回路５３は、普通電動役物作動口スイッチ１３、カウントスイッチ２３、通常入賞玉検出スイッチ９８、特定入賞口スイッチ６９、および第３種始動口入賞玉検出スイッチ２０からの検出信号にもとづいて、所定個数の景品玉を払出すための賞球信号を払出制御基板３７に出力する。払出制御基板３７では、その出力されてきた賞球信号にもとづいて球払出装置９７を制御して所定個数の景品玉を払出すための制御を行なう。
【００６４】
具体的には、特別可変入賞球装置１９の大入賞口に入賞した入賞玉については１個の入賞玉につきたとえば１５個の景品玉が払出され、普通電動役物作動口１２に入賞した入賞玉については１個の入賞玉につきたとえば６個の景品玉が払出されるといったように、それぞれの入賞口により払出される景品玉が異なるように制御される。
【００６５】
遊技制御基板３１から払出制御基板３７に送られた賞球個数信号は、払出制御基板３７に設けられた払出制御用マイクロコンピュータ（図示省略）により受信される。払出制御用マイクロコンピュータは、球払出装置９７を駆動して賞球個数信号により特定される個数の賞球を払出す制御を行なう。なお、遊技制御基板３１、払出制御基板３７、球払出装置９７等により遊技価値付与手段が構成されている。
【００６６】
図６は、遊技制御基板３１により実行される遊技制御メイン処理のフローチャートを説明するための図である。なお、遊技制御メイン処理においては、ＳＡ０１において、スタックポインタの指定アドレスをセットするためのスタックセット処理や、ＲＡＭにエラーが含まれているか判定され、エラーが含まれている場合には、ＲＡＭを初期化することおよび各種フラグの初期化設定などの処理等のイニシャル処理が行なわれるがここではその説明を省略する。
【００６７】
ＳＡ０２においてポートからのデータまたは信号を入力、ポートへデータを出力、および各制御基板へコマンド出力（払出制御基板、音制御基板、ランプ制御基板、駆動制御基板、表示制御基板）を行うポート入出力処理が行なわれる。
【００６８】
ＳＡ０３において、普通図柄表示装置１１の表示結果が確率向上状態に制御される確変図柄による当りとなったときに確率変動継続期間を複合化または調整・制限する処理等を行なう確率変動継続期間制御処理が行なわれ、ＳＡ０４により、普通電動役物（普通可変入賞球装置）１５を制御する処理が行なわれる。ＳＡ０５により、確率変動制御処理が行なわれる。ＳＡ０６により、判定図柄表示装置１０を可変表示制御する処理が行なわれる。ＳＡ０６ａにより、特定可変表示装置９９を制御するための特定可変表示装置制御処理が行なわれる。このＳＡ０６ａにより、確変用可変表示制御手段１９７が構成されている（図４参照）。
【００６９】
ＳＡ０７において、玉振分用の回転体６２の回転を制御する処理が行なわれ、ＳＡ０８において権利発生状態となったときの所定の遊技価値を遊技者に付与する制御を行う処理が行なわれ、ＳＡ０８ａにおいて遊技制御基板３１から表示制御基板８０へ表示制御用のコマンドを送信する処理が行なわれ、ＳＡ０９において特定可変表示装置９９や判定図柄表示装置１０の表示結果として所定の表示態様または特定の表示態様を導出表示するか否か等の決定に用いられるランダムカウンタの乱数を更新する処理が行なわれる。以下、ＳＡ０３からＳＡ０８およびＳＡ０９の処理内容についてサブルーチンプログラムを用い説明する。
【００７０】
図７は、確率変動継続期間制御処理のサブルーチンプログラムを説明するための図である。
【００７１】
まず、ＳＢ０１において確率向上中に再度確変図柄により当りとなったか否かの判定がなされ、当りのときはＳＢ０２において確変継続期間複合化処理が実行され、当りでなかったときはＳＢ０３において現在確変フラグが「オン」状態であるか否かの判別がなされ、「オン」状態であるときには確変（確率変動状態）となったときの確変抽出値のチェックがＳＢ０４において行なわれる。
【００７２】
具体的には、後述する確率変動状態（確変）にするか否かの判定に用いられる数値データを更新するランダムカウンタ５の抽出値（ＳＪ０２、ＳＫ０５参照）が、ＳＢ０４でいう「確変となったときの確変抽出値」のことであり、確変抽出値が２００〜２５５の間であったときにはＳＢ０５に移行し、確変抽出値が１００〜１４９の間であったときにはＳＢ０８へ進み、確変抽出値が５０〜９９の間であったときにはＳＢ１１へ進み、確変抽出値が１５０〜１９９の間であったときにはＳＢ１４へ進む。ＳＢ０５では当りとなったときの確率を降下させるための所定条件である大当り回数が所定値に達したか否かの判別がなされる。所定値に未だ達していなかったときには、ＳＢ０６において大当りが発生したか否かの判別がなされ、大当りが発生する毎にＳＢ０７において記憶バッファに記憶されている大当り回数に「１」加算する処理がなされる。
【００７３】
ＳＢ０８では当りとなったときの確率を降下させるための所定条件である判定図柄表示装置１０の可変表示回数が所定値に達したか否かの判別がなされる。所定値に未だ達していなかったときには、ＳＢ０９において判定図柄表示装置１０の表示状態が可変表示中から停止されたか否かの判別がなされ、停止されたときにはＳＢ１０において記憶バッファに記憶されている判定図柄表示装置１０の可変表示回数に「１」加算する処理がなされる。
【００７４】
ＳＢ１１では当りとなったときの確率を降下させるための所定条件である普通電動役物１５の開成回数が所定値に達したか否かの判別がなされる。所定値に未だ達していなかったときには、ＳＢ１２において普通電動役物１５が開成状態から閉成状態になったか否かの判別がなされ、閉成状態になったときにはＳＢ１３において記憶バッファに記憶されている普通電動役物１５の開成回数に「１」加算する処理がなされる。
【００７５】
ＳＢ１４では当りとなったときの所定条件である大当りが発生したか否かの判別がなされ、発生していないときにはそのまま確率変動継続期間制御処理のサブルーチンプログラムが終了される。
【００７６】
なお、ＳＢ０５，ＳＢ０８，ＳＢ１１およびＳＢ１４のそれぞれにおいて肯定的な判別がなされたとき、すなわち確率を降下させるための所定条件が成立したと判別されたときは、現在の確変フラグをクリアする処理がＳＢ１５からＳＢ１７において行なわれる。
【００７７】
本実施形態においては、確率向上状態中にさらに確変が発生したときに所定の条件が複合されることとなるが、ＳＢ１５においてかかる確変継続期間が複合されたか否かの判別がなされ、複合されているときにはＳＢ１７に移行し所定の確変継続期間が終了した確変フラグに対応する確変フラグをクリアする処理がなされ、複合されていなかったときにはＳＢ１６において確変フラグをクリアする処理がなされる。たとえば、確変抽出値が２００〜２５５の間で当ったときには確変フラグ「０」がセットされ、確変抽出値が１００〜１４９の間で当ったときには確変フラグ「１」がセットされ、確変抽出値が５０〜９９の間で当ったときには確変フラグ「２」がセットされ、確変抽出値が１５０〜１９９の間で当ったときには確変フラグ「３」がセットされるとしたときに、まず確変抽出値が１５０〜１９９の間で当った後、その確率向上状態中に確変抽出値が２００〜２５５の間で当たり、さらに５０〜９９の間で当ったときには確変フラグ「３」，確変フラグ「０」，確変フラグ「１」の順で記憶バッファに記憶され、前述したＳＢ１４で肯定的な判別がなされたときにＳＢ１７において確変フラグ「３」がクリアされ、その後ＳＢ０５で肯定的な判別がなされたときにＳＢ１７において確変フラグ「０」がクリアされ、さらにＳＢ０８で肯定的な判別がなされたときにＳＢ１７において確変フラグ「１」がクリアされ、確変継続期間が終了する。すなわち、ＳＢ０２における確変継続期間複合化処理においては当りとなった確変図柄に対応する確変フラグを記憶バッファに順番に記憶し、それぞれの所定条件を満足したときに、ＳＢ１５からＳＢ１７の処理において満足した所定条件に対応する確変フラグをクリアする処理がなされている。これにより、遊技者は多様性のある遊技を楽しむことができるとともに、同じ確変図柄で当りとなれば所定条件が加算され、大当りまでの前提ゲームを楽しむ期間が延長され、遊技の興趣を向上させることができる。なお、このように確変フラグを記憶して確変継続期間複合化処理を行なうものに限らず、当るごとに現在記憶されている確変フラグをクリアし当該当ったことによりセットされる確変フラグを記憶バッファに記憶するようにしてもよい。また、複数種類の確変終了条件を予め設けている例について説明したが、これに限らず、すべて同じ確変終了条件となるように予め設けてもよい。
【００７８】
図８（ａ）は、図６のＳＡ０４に示された普通電動役物制御処理のサブルーチンプログラムを示すフローチャートである。まずＳＣ０１により、普通電動役物作動口スイッチ１３がＯＮになったか否かの判断がなされる。パチンコ玉が普通電動役物作動口１２に入賞して普通電動役物作動口スイッチ１３により検出されれば、制御がＳＣ２へ進み、第３種特別電動役物用ソレノイド２２を所定期間ＯＮにする処理がなされる。その結果、普通電動役物（普通可変入賞球装置）１５が所定期間開成する第１の状態となる。
【００７９】
図８の（ｂ）は、図６のＳＡ０５に示された確率変動制御処理のサブルーチンプログラムを示すフローチャートである。まずＳＪ０１により、権利入賞玉検出スイッチ６６がＯＮになっているか否かの判断がなされる。入賞玉が権利入賞玉検出スイッチ６６により検出されれば、制御がＳＪ０２へ進み、ランダムカウンタ５のカウント値が抽出される。このランダムカウンタ５は、後述する図１５に示されており、０からカウントアップしてその上限である２５６までカウントアップした後再度０からカウントアップし直すものである。
【００８０】
ＳＪ０３により、その抽出されたランダムカウンタ５の抽出値（確変抽出値）が５０以上であるか否かの判断がなされる。５０未満の場合にはこのサブルーチンプログラムが終了するが、５０以上の場合には制御がＳＪ０４へ進み、確変予定フラグをセットする処理がなされる。このように、本実施形態においては、確変向上状態を権利発生状態となることにより確変フラグに変えて確変予定フラグをセットするように設定し、確率向上状態を一時終了するように制御している。これにより、遊技場側と遊技者側とのそれぞれに対する利潤のバランスを調整し射幸性を抑え、確変終了となる契機を遊技者に容易に認識させるとともに遊技者に安心感を与え、さらに、権利発生状態中に判定図柄表示装置１０の表示結果が特定の表示態様となる確率が向上していると再度特別領域に入賞し、発生している権利が消滅してしまう不都合の発生を未然に防止することができる。次に制御がＳＪ０５へ進み、確変図柄停止フラグがセットされる。この確変図柄停止フラグとは、前述した特定可変表示装置９９の可変表示を停止させるためのフラグである。図８（ｂ）の二点鎖線で示したＳＪ０１〜ＳＪ０４により、確率向上判定手段１９８が構成されている（図４参照）。
【００８１】
図９は、判定図柄表示装置制御処理のサブルーチンプログラムを説明するための図である。
【００８２】
まず、ＳＤ０１において、普通電動役物１５に入賞した打玉を検出する特定入賞口スイッチ６９が「オン」状態であるか否かの判別がなされる。すなわち、特定入賞口スイッチ６９から打玉を検出したことにもとづく検出信号が送信されてきたか否かの判別処理が行なわれる。入賞していたときには、ＳＤ０２において入賞個数を特定するための特定入賞口チェックフラグを「１」加算する処理が行なわれる。たとえば、入賞した打玉が２個であったときには、特定入賞口チェックフラグとして「２」がセットされる。
【００８３】
ＳＤ０３において、現在特定入賞口をチェック中であるか否かの判別がなされ、ＳＤ０４とＳＤ１７においては判定図柄表示装置作動口スイッチ１４またははずれスイッチ４９が「オン」状態であるか否かの判別がなされる。
【００８４】
ＳＤ０４において肯定的な判別がなされたときには、ＳＤ０５において現在の遊技状態が確率向上状態であるときにセットされる確変フラグが「オン」状態であるか否かの判別がなされる。
【００８５】
確変フラグが「オン」状態であるときには、打玉の入賞に対応して記憶される保留記憶に対し、ＳＤ０７において高確率状態での大当り判定処理が行なわれ、確変フラグが「オン」状態でなかったときには、ＳＤ０６において打玉の入賞に対応して記憶される保留記憶に対し、低確率状態（通常確率状態）での大当り判定処理が行なわれる。図９の二点鎖線で囲んだＳＤ０５〜ＳＤ０７により、確率向上手段１９８（図４参照）が構成されている。
【００８６】
ＳＤ０８においては、特別装置異常時間をクリアする処理とＳＤ０２でセットされる特定入賞口チェックフラグを「１」減算する処理がなされる。これは、特別入賞装置８に入賞した打玉が判定図柄表示装置作動口スイッチ９５により検出されたことに対応している。
【００８７】
ＳＤ０９においては、判定図柄表示装置１０が可変表示中であるか否かの判別がなされ、可変表示中でなかったときにはＳＤ１１において判定図柄表示装置１０における可変表示を開始する処理が行なわれ、可変表示中であったときにはＳＤ１０において判定図柄表示装置１０の可変表示処理が行なわれる。
【００８８】
ＳＤ１２においては、判定図柄表示装置１０の変動時間がタイムアウトしたか否かの判別がなされる。タイムアウトしているときには、ＳＤ１３において可変表示を停止する処理がなされ、停止図柄が特定の表示態様となる大当り図柄であるか否かの判別がなされ、大当りが発生する図柄であったときにはＳＤ１５において、大当りとなる旨を示す当りフラグをセットする処理が行なわれる。図９の二点鎖線で囲まれたＳＤ０９〜ＳＤ１３により、判定図柄用可変表示制御手段１９４（図４参照）が構成されている。ＳＤ１６において振分装置６０の回転体６２を駆動させるための振分装置誘導フラグがセットされる。
【００８９】
以上、ＳＤ０４において判定図柄表示装置作動口スイッチ９５により打玉が検出され、判定図柄表示装置の可変表示を行なうときの処理について説明したが、判定図柄表示装置作動口スイッチ９５により打玉が検出されなかったときの処理内容について以下説明する。
【００９０】
ＳＤ１７において、はずれ図柄スイッチ４９により打玉が検出され「オン」状態となったか否かの判別がなされ、「オン」状態でないときは特別装置異常時間を「１」加算し、その特別装置異常時間があらかじめ設定されている時間をオーバーしているか否かの判別がＳＤ１９において行なわれ、オーバーしているときにはＳＤ２０において特別装置異常フラグをセットする処理が行なわれる。なお、かかる特別装置異常フラグは、遊技者による不正行為や、誘導通路の玉詰まり等が発生したときにセットされる。
【００９１】
ＳＤ２１においては、打玉がはずれスイッチ４９により検出されたことにより、特別装置異常時間をクリアし特定入賞口チェックフラグを「１」減算する処理が行なわれ、ＳＤ２２において判定図柄表示装置１１が可変表示中であるか否かの判別がなされ、可変表示中であるときには前述したＳＤ１０へ移行され、可変表示中でないときには判定図柄表示装置制御処理のサブルーチンプログラムを終了する。
【００９２】
図１０（ａ）は、図９のＳＤ０６で示された低確率状態での大当り判定処理のサブルーチンプログラムを示すフローチャートであり、図１０（ｂ）は、図９のＳＤ０７により示された高確率状態での大当り判定処理のサブルーチンプログラムを示すフローチャートである。
【００９３】
図１０（ａ）を参照して、ＳＰ０１により、ランダムカウンタ１のカウント値を抽出する処理がなされる。このランダム１カウンタは、後述する図１５に示されているように、０からカウントアップしてその上限である２５６までカウントアップした後再度０からカウントアップするカウンタであり、判定図柄当り判定用に用いられるカウンタである。次にＳＰ０２により、そのランダムカウンタ１の抽出値が「３」であるか否かの判断がなされる。「３」である場合にはＳＰ０３により大当りの判定がなされる一方、「３」でない場合にはＳＰ０４によりはずれの判定がなされる。この大当りの判定、はずれの判定の結果は、フラグとして記憶されている。
【００９４】
図１０（ｂ）を参照して、ＳＱ０１により、ランダム１カウンタのカウント値が抽出され、ＳＱ０２により、その抽出値が０以上で９以下か否かの判断がなされる。０以上で９以下の場合にはＳＱ０３により、大当りの判定がなされる。一方、抽出値が１０以上であった場合にはＳＱ０４によりはずれの判定がなされる。その結果、高確率状態のときには、大当りとなる確率が、低確率状態のときに比べて１０倍となる。
【００９５】
図１１（ａ）は、図９のＳＤ１３に示された判定図柄表示装置停止処理のサブルーチンプログラムを示すフローチャートである。ＳＧ０１により、大当り判定がなされているか否かの判断がなされる。この判断は、前述したＳＰ０３、ＳＰ０４またはＳＱ０３、ＳＱ０４の判断結果に基づいて行なわれる。大当り判定がなされていない場合にはＳＧ０３により、判定図柄表示装置１０をはずれ図柄（ぞろ目以外の図柄）で停止させる制御がなされる。一方、大当りと判定されている場合には制御がＳＧ０２へ進み、判定図柄表示装置１０を当り図柄（ぞろ目の図柄）で停止させる制御がなされる。
【００９６】
図１１（ｂ）は、ＳＡ０６ａに示された特定可変表示装置制御処理のサブルーチンプログラムを示すフローチャートである。ＳＨ０１により、権利入賞玉検出スイッチ６６がＯＮになったか否かの判断がなされる。なっていない場合には制御がＳＨ０５に進むが、なっている場合には制御がＳＨ０２へ進む。ＳＨ０２では、確変表示タイマがタイムアップ済みであるか否かの判断がなされる。この確変表示タイマは、後述するＳＨ０４によりセットされるタイマであり、特定可変表示装置９９を可変表示させるための時間を計時するタイマである。この段階では、確変表示タイマがまだセットされておらず、前回にセットされた確変表示タイマがタイムアップ済みの段階であるために、制御がＳＨ０３へ進み、特定可変表示装置９９の可変表示時間を決定する処理がなされる。
【００９７】
この処理は、特定可変表示装置９９の今回の表示結果が当りになるか否かすなわちＳＪ０４により確変予定フラグがセットされているか否か等を考慮して、時間の決定がなされる。たとえば、確変図柄停止フラグがセットされており今回の特定可変表示装置９９の表示結果が当りとなる場合には、表示結果の導出表示前において徐々に可変表示動作（スクロール動作）の速度を遅くして可変表示動作を遊技者が十分に視認できるようにするとともに長い時間可変表示動作させ、その後表示結果を導出表示させるように制御する。その可変表示時間が、このＳＨ０３により決定される。
【００９８】
次にＳＨ０４により、その決定された時間を確変表示タイマにセットする処理がされる。次にＳＨ０５により、確変表示タイマがタイムアップした時であるか否かの判断がなされる。まだタイムアップした時でない場合にはこのサブルーチンプログラムが終了する。このＳＨ０５は、確変表示タイマがタイムアップした直後に特定可変表示装置制御処理のサブルーチンプログラムが実行された際に１回のみＹＥＳの判断がなされる。
【００９９】
一方、ＳＨ０４によりセットされた確変表示タイマがまだタイムアップしていない段階すなわち特定可変表示装置９９が可変表示動作している段階において、再度パチンコ玉が権利入賞玉検出スイッチ６６により検出された場合には、ＳＨ０１によりＹＥＳの判断がなされてＳＨ０２へ進み、確変表示タイマがタイムアップ済みであるか否かの判断がなされる。この段階ではまだタイムアップ済みでないために、制御がＳＨ０６へ進み、確変表示タイマを変更設定する処理がなされる。この変更設定は、たとえば確変表示タイマを「０」に変更設定する。なお、「０」に限らず、たとえば３秒程度の短い時間に変更設定してもよい。次に制御がＳＨ０５へ進み、確変表示タイマがタイムアップしたときであるか否かの判断がなされる。ＳＨ０６により変更設定された確変表示タイマがタイムアップした段階で（たとえば０に変更設定した場合には直ちに）ＳＨ０５によりＹＥＳの判断がなされて制御がＳＨ０７へ進み、確変図柄停止フラグがＯＮになっているか否かの判断がなされる。
【０１００】
この確変図柄停止フラグは、前述したＳＪ０５によりセットされるフラグであり、特定可変表示装置９９を当り図柄で停止表示させるためのフラグである。確変図柄停止フラグがセットされていない場合にはＳＨ０８によりはずれ図柄がセットされる。そのはずれ図柄がＳＡ０８ａにより遊技制御基板３１から表示制御基板８０へ送信される。
【０１０１】
一方、確変図柄停止フラグがセットされている場合にはＳＨ０９へ進み、確変図柄停止フラグがクリアされ、ＳＨ１０により、確変抽出値に応じた当り図柄がセットされる。たとえば確変抽出値が２００〜２５５（図７参照）の間のいずれかの場合には、特定可変表示装置９９が「７」で停止制御される。確変抽出値が１００〜１４９の間のいずれかの場合には、特定可変表示装置９９が「１」で停止制御される。確変抽出値が５０〜９９の間の場合には、特定可変表示装置９９が「３」で停止制御される。確変抽出値が１５０〜１９９の間の場合には、特定可変表示装置９９が「５」で停止制御される。次に制御がＳＨ１０ａへ進み、特定可変表示装置９９を停止させるためのコマンドがセットされる。この停止コマンドがＳＡ０８ａにより遊技制御基板３１から表示制御基板８０へ送信される。
【０１０２】
前述したＳＨ０６とＳＨ１０ａとにより、表示結果早期導出表示手段１９６（図４参照）が構成されている。
【０１０３】
図１２は、振分装置制御処理のサブルーチンプログラムを説明するための図である。
【０１０４】
まず、ＳＥ０１において、振分装置６０が動作中であるか否かの判別がなされる。すなわち、振分装置用モータ６１により回転体６２が回転されているか否かの判別がなされ、ＳＥ０２において振分装置誘導フラグが「オン」状態であるか否かの判別がなされる。ここで否定的な判別がなされたときに、ＳＥ１４，ＳＥ１５に移行され、権利入賞玉検出スイッチ６６が「オン」状態と判別されたときには、不正行為が発生している可能性が高いため権利入賞口異常フラグがセットされる。
【０１０５】
ＳＥ０３においては、当りフラグがセットされているか否かの判別がなされ、セットされているときには制御がＳＥ０４に進み、ＳＥ０４において振分装置６０により権利入賞口６８に打玉を誘導しＳＥ０６において当りフラグをクリアする処理がなされ、セットされていないときにはＳＥ０５において振分装置６０によりはずれ入賞口６５に打玉を誘導する処理がなされる。振分装置６０を駆動制御して権利入賞口６８に誘導する処理としては、回転体の玉受入凹部に停留している打玉を右側に設けられている権利入賞口６８に入賞させるように、回転体を時計回りに回転させる処理がなされる。
【０１０６】
ＳＥ０７においては、振分装置６０を動作させる処理が行なわれ、ＳＥ０８において権利入賞玉検出スイッチ６６により打玉の検出が行なわれた否かの判別がなされ、検出が行なわれていたときにはＳＥ１１からＳＥ１３において大当り中であるときに、現在セットされている大当り消滅フラグがセットされ、大当り中でなかったときには、大当りフラグと大当り初期化データをセットする処理がなされる。
【０１０７】
ＳＥ０８において権利入賞玉検出スイッチ６６により打玉の検出が行なわれていないときにはＳＥ０９においてはずれスイッチ４９により打玉が検出されたか否かの判別がなされる。
【０１０８】
権利入賞玉検出スイッチ６６またははずれスイッチ４９のいずれかにおいて、打玉が検出されたときにはＳＥ１０において振分装置誘導フラグをクリアする処理がなされ、検出されていないときには、振分装置制御処理のサブルーチンプログラムを終了する。
【０１０９】
図１３は、大当り制御処理のサブルーチンプログラムを説明するための図である。
【０１１０】
まず、ＳＦ０１において、ＳＥ１２において大当りフラグがセットされたか否かの判別がなされ、セットされていないときには大当り制御処理を終了し、セットされているときには、ＳＦ０２において第３種始動入賞口１８に打玉が入賞したか否かの判別がなされ、入賞していたときには実行カウントを「１」加算する処理をＳＦ０３において行ない、ＳＦ０４とＳＦ０５においてかかる実行カウントがあらかじめ定められた「１６」以上となったか否かの判別がなされ、「１６」以上であるときには繰返継続制御を終了するための大当り消滅フラグがセットされる。
【０１１１】
ＳＦ０６においては、特別可変入賞球装置１９が開放中であるか否かの判別がなされ、開放中でないときにはＳＦ０７において可動部材を開放させる処理が行なわれる。すなわち、可動部材２１が開成して遊技者にとって有利な第１の状態となるように、第３種特別電動役物用ソレノイド２２を駆動させるための指令信号を送信する処理がなされる。
【０１１２】
ＳＦ０８においては、特別可変入賞球装置１９の開放時間がタイムアウトしたか否かの判別がなされ、タイムアウトしているときにはＳＦ１８において特別可変入賞球装置１９の開放時間をクリアする処理がなされ、タイムアウトしていないときにはＳＦ０９において特別可変入賞球装置１９の開放時間に「１」加算する処理を行ない、ＳＦ１０においてカウントスイッチ２３により打玉が検出されたか否かの判別がなされ、検出されているときにはＳＦ１１において特別可変入賞球装置１９に入賞した打玉数に「１」加算する処理が行なわれる。
【０１１３】
ＳＦ１２においては、特別可変入賞球装置１９に入賞した打玉数があらかじめ定められた「１０」に達したか否かの判別がなされ、達しているときにはＳＦ１３において特別可変入賞球装置１９の開放回数に「１」加算し可動部材を閉じた状態にし閉鎖する処理が行なわれる。
【０１１４】
ＳＦ１４においては、大当り消滅フラグが「オン」状態であるか否かの判別がなされ、「オン」状態であるときにはＳＦ１５において特別可変入賞球装置１９の開放回数が「１６」であるか否かの判別がなされ、大当り消滅フラグが「オン」状態であるときまたは開放回数が「１６」であるときにＳＦ１６において大当りフラグをクリアする処理を行ない大当り制御処理を終了する。
【０１１５】
次に制御がＳＦ１６ａへ進み、確変予定フラグがＯＮになっているか否かの判断がなされる。ＯＮになっていない場合にはこのサブルーチンプログラムは終了するが、ＯＮになっている場合には制御がＳＦ１６ｂへ進み、確変フラグをＯＮにするとともに、確変予定フラグをＯＦＦにする処理がなされる。その結果、開放回数が最終ラウンドである「１６」に達してその１６ラウンド目の開放が終了した段階で、確変フラグがＯＮとなり、以降確率向上状態となる。この確変フラグのセットは、前述したように、確変抽出値の値に応じて、複数種類の値にセットされる。
【０１１６】
なお、別実施の形態として、ＳＦ１６ａとＳＦ１６ｂとを削除し、図１３の破線で示したＳＦ０５ａ〜ＳＦ０５ｃの各ステップをＳＦ０５とＳＦ０６との間に挿入してもよい。すなわち、ＳＦ０５の次に制御がＳＦ０５ａへ進み、大当り消滅フラグがセットされているか否かの判断がなされ、セットされていない場合にはＳＦ０６へ進むが、セットされている場合にはＳＦ０５ｂにより、確変予定フラグがＯＮになっているか否かの判断がなされる。なっていない場合にはＳＦ０６へ進むが、なっている場合にはＳＦ０５ｃへ進み、確変フラグをＯＮにするとともに確変予定フラグをＯＦＦにする処理がなされる。
【０１１７】
この別実施の形態を採用することにより、権利発生状態中に再度権利入賞玉検出スイッチ６６により入賞玉が検出されたときあるいは権利発生状態中に所定の上限個数の入賞玉が第３種始動口入賞玉検出スイッチ２０により検出されて権利が消滅したときに、確変フラグがＯＮにセットされることとなり、それ以降確率向上状態となる。
【０１１８】
なお、ＳＦ０２において、第３種始動入賞口１８に打玉が入賞していないときであっても、ＳＦ１７において現在特別可変入賞球装置１９が作動中であるか否かの判別を行ない作動中であるときには、前述したＳＦ０８から移行の処理が行なわれることとなる。
【０１１９】
図１４は、乱数更新処理のサブルーチンプログラムを説明するための図である。ＳＧ０１では５バイトの大きさを有する乱数を算術式を用いて作成している。
【０１２０】
式：Ｍｎ＝Ｍ×５＋２１１  ｍｏｄ  ２５６５
かかる算術式の「Ｍ」は、現在の乱数値を表しそれを５倍して２１１を加算する。「ｍｏｄ  ２５６５」は前記で作成した値を２５６５で割った余り値を意味し、この余りが次の乱数値「Ｍｎ」となる。
【０１２１】
ＳＧ０２では、上記の算術式を用いて作成した値をそれぞれ１バイトごとに分割し１バイトの乱数としてそれぞれＲＡＭに記憶する。
【０１２２】
図１５は、遊技制御基板３１側の基本回路５３が遊技制御に用いる各種ランダムカウンタを説明するための図である。図１５には、ランダムカウンタ１、ランダムカウンタ２、ランダムカウンタ３、ランダムカウンタ４、ランダムカウンタ５の５種類のランダムカウンタが示されている。それぞれの１バイトに分割された乱数は、たとえば、ランダムカウンタ１は判定図柄当り判定に用いられ、ランダムカウンタ２は判定図柄表示用に用いられる。それぞれの乱数は１バイトであるので０〜２５５の値をとり、それぞれ２５６通りの値を有する。各ランダムカウンタ１〜６は、遊技球が判定図柄表示装置作動口スイッチ９５で検出されたときに、それぞれ抽出され記憶エリアに格納される。
【０１２３】
図１６は、乱数に対応した判定図柄表示装置１０の出目図柄を説明するための図である。大当りとはずれの場合にランダムカウンタ２（０〜２５５）の値をそれぞれ対応する図柄に振り分けられている。判定図柄を大当たりとする場合には、ランダムカウンタ２の値が０〜１９の場合は判定図柄「１」を、２０〜３９の場合は判定図柄「３」を、４０〜５９の場合は判定図柄「５」を、６０〜７９の場合は判定図柄「７」を、８０〜２５５の場合は判定図柄「９」を、判定図柄表示装置１０に表示する。
【０１２４】
また、判定図柄をはずれとする場合には、ランダムカウンタ２の値が０〜５０の場合は判定図柄「０」を、５１〜１０１の場合は判定図柄「２」を、１０２〜１５２の場合は判定図柄「４」を、１５３〜２０３の場合は判定図柄「６」を、２０４〜２５５の場合は判定図柄「８」を、判定図柄表示装置１０に表示する。
【０１２５】
図１７は、乱数に対応した所定回数を説明するための図である。すなわち、確率変動継続期間を制御するための期間長さ（回数）を選択するものである。ランダムカウンタ３の値が０〜９９であれば所定回数「１回」が選択され、１００〜２３９であれば所定回数「３回」が選択され、２４０〜２５３であれば所定回数「５回」が選択され、２５４であれば所定回数「１０回」が選択され、２５５であれば所定回数「１００回」が選択される。
【０１２６】
図１８は、乱数に対応した対象ゲームを説明するための図である。すなわち、確変予定フラグをセットするか否か、および、確変予定フラグがセットされたときの確率変動継続期間を制御するために期間長さの対象となるゲームあるいは遊技状態を選択するものである。ランダムカウンタ５の値が０〜４９であれば確変予定フラグはセットされることがなく、５０〜９９であれば所定回数「可変入賞球装置作動回数」が選択され、１００〜１４９であれば所定回数「判定図柄変動回数」が選択され、１５０〜１９９であれば「大当りするまで」が選択され、２００〜２５５であれば所定回数「大当り回数」が選択される。なお、本実施形態においては、ランダムカウンタ５を用いて確変予定フラグをセットするか否か、および、確変予定フラグがセットされたときの確率変動継続期間を制御するために期間長さの対象となるゲームを選択する例について説明したが、これに限らず、ランダムカウンタ５を用いて確変予定フラグをセットするか否かを決定し、確変予定フラグがセットされたときに図１５のランダムカウンタ４を用いて対象となるゲームを選択するようにしてもよい。
【０１２７】
図１９は、図１１（ｂ）の特定可変表示装置制御処理のサブルーチンプログラムの他の例を示すフローチャートである。図１１（ｂ）の特定可変表示装置制御処理との相違点について主に説明する。ＳＨ０１により、権利入賞玉検出スイッチがＯＮになっているか否かの判断がなされ、なっている場合にはＳＨ０３により、特定可変表示装置９９の可変表示時間が決定される。この決定は、図１１（ｂ）で説明したのと同様に、特定可変表示装置９９の表示結果が当りとなるか否かを考慮して決定される。ＳＨ０４により、決定された時間が確変表示タイマにセットされ、ＳＨ１１により、確変表示タイマが計時中であるか否かの判断がなされる。通常時においては、このＳＨ１１によりＮＯの判断がなされてＳＨ０５により、確変表示タイマがタイムアップ時であるか否かの判断がなされる。そして、ＳＨ０４によりセットされた確変表示タイマがタイムアップした瞬間だけＳＨ０５によりＹＥＳの判断がなされてＳＨ０７へ進み、図１１（ｂ）で示したＳＨ０７〜ＳＨ１０ａと同様の制御がなされる。このＳＨ０５は、確変表示タイマがタイムアップした直後に特定可変表示装置制御処理のサブルーチンプログラムが実行されたときに１回のみＹＥＳの判断がなされる。
【０１２８】
特定可変表示装置９９の可変表示中においてはＳＨ１１によりＹＥＳの判断がなされて制御はＳＨ１２へ進み、判定図柄表示装置１０が可変表示中（変動中）であるか否かの判断がなされる。通常時においては判定図柄表示装置１０が変動中でないために、ＮＯの判断がなされて制御がＳＨ０５へ進むこととなる。
【０１２９】
一方、特定可変表示装置９９が可変表示中すなわち確変表示タイマが計時中において再度パチンコ玉が判定図柄表示装置作動口スイッチ９５により検出されれば判定図柄表示装置１０が可変表示されるのであり、その異常時においてはＳＨ１２によりＹＥＳの判断がなされる。そしてＳＨ１３により、判定図柄表示装置１０の表示結果が大当りとなる大当り判定がなされているか否かの判断がなされる。ＳＰ０３またはＳＱ０３により大当り判定が事前になされている場合には、制御はＳＨ１４へ進み、判定図柄表示装置１０の可変表示残り時間に応じて確変表示タイマを変更設定する処理がなされた後ＳＨ０５へ進む。このＳＨ１４による変更設定は、判定図柄表示装置１０の表示結果が導出表示されてパチンコ玉が回転体６２により右回転誘導されて権利入賞玉検出スイッチ６６により検出される以前の段階で特定可変表示装置９９が停止されるような時間に変更する。
【０１３０】
その結果、発生した権利が消滅する以前の段階で特定可変表示装置９９の表示結果が導出表示されて遊技者が確変状態になるか否かを認識することができる。
【０１３１】
図２０は、以上説明したいわゆる判定図柄タイプの第３種のパチンコ遊技機の動作を説明するためのタイミングチャートであり、（ａ）が従来のものであり、（ｂ）が本発明を示している。
【０１３２】
まず、図２０（ａ）に基づいて従来のものについて説明する。判定図柄表示装置作動口スイッチ９５によりパチンコ玉が検出されて検出パルスが導出されれば、判定図柄表示装置１０が可変開始した後停止する。その停止時に当り図柄（たとえばぞろ目）が表示されれば、回転体６２が回転して玉受入凹部６３に貯留されている玉が権利入賞玉検出スイッチ６６側に誘導されて検出される。その検出パルスが導出された瞬間特定可変表示装置９９が可変表示を開始するとともに、権利発生状態となる。この状態で、入賞玉が再度判定図柄表示装置作動口スイッチ９５により検出されてその検出パルスが導出された場合には、判定図柄表示装置１０が再度可変表示して停止制御され、その停止時に当り図柄（ぞろ目）が表示されれば、再度回転体６２が回転して貯留玉が権利入賞玉検出スイッチ６６により検出されることとなる。前述したように、権利発生状態で２回目の権利入賞玉検出スイッチ６６の検出パルスが導出されればその権利発生状態は消滅することとなる。ところが、この権利が消滅した時点では、特定可変表示装置９９の表示結果がまだ導出表示されていない可変表示中の段階であるために、遊技者にしてみれば、確率向上状態になるか否かの抽選表示の結果が出ないうちに権利が消滅してしまうこととなり、不都合な状態となる。
【０１３３】
図２０（ｂ）に示す本発明の場合には、まず、判定図柄表示装置作動口スイッチ９５による入賞玉の検出パルスに応じて判定図柄表示装置１０が可変開始した後停止し、その停止図柄が当り図柄であった場合には玉が権利入賞玉検出スイッチ６６側に誘導されて検出されてその検出パルスの導出に応じて権利が発生するとともに特定可変表示装置９９が可変開始する。この段階までは、図２０（ａ）の従来例と同じ動作である。
【０１３４】
この状態で、再度入賞玉が判定図柄表示装置作動口スイッチ９５により検出されて判定図柄表示装置１０が可変表示した後停止し、その停止時の表示結果が当りであった場合には、回転体６２が右回転し、右回転誘導されたパチンコ玉が権利入賞玉検出スイッチ６６により検出されてその検出パルスが導出される。このときに表示結果早期導出表示手段１９６により表示結果早期導出制御が行なわれて、権利入賞玉検出スイッチ６６の検出パルスの導出と同時に（または３秒程度遅れて）特定可変表示装置９９が停止制御される。
【０１３５】
なお、図１９で示した特定可変表示装置制御処理の他の例の場合には、表示結果早期導出表示手段１９６の働きにより、２回目の権利入賞玉検出スイッチ６６の検出パルスが導出される以前の段階で特定可変表示装置９９が停止制御される（破線参照）。
【０１３６】
図２１〜図２５は、いわゆる普通図柄タイプの第３種の遊技機を示している。図２１は、普通図柄タイプの第３種のパチンコ遊技機における要部を示す構成図である。特別入賞装置８ａ内には、図４と同様に、クルーン９０からなる振分け部材が設けられており、そのクルーン９０に、当り玉入賞口９１ａ、はずれ玉入賞口９２ａが形成されている。
【０１３７】
普通図柄表示装置作動口スイッチ９５ａの検出出力に基づいて、普通図柄表示装置１１が可変開始した後停止表示され、その停止時の表示結果がぞろ目であった場合には、ソレノイド１２３ａが励磁されて普通可変入賞球装置１２３の１対の可動部材１２２が所定時間開成して打玉が入賞可能な遊技者にとって有利な第１の状態となる。この普通可変入賞球装置１２３内には、権利発生用入賞口１２０とはずれ入賞領域１２１とが形成されており、権利発生用入賞口１２０にパチンコ玉が入賞すれば、権利入賞玉検出スイッチ１２０ａにより検出されて権利発生状態となる。その権利発生状態の期間中において、パチンコ玉が第３種始動入賞口１８に入賞し、回転体１１１により回転誘導されて第３種始動口入賞玉検出スイッチ２０により検出されれば、特別可変表示装置１９が開成して遊技者にとって有利な第１の状態となる。なお、はずれ玉入賞口９２ａに入賞したパチンコ玉は、はずれ玉誘導通路１１５に誘導されて機外に排出される。
【０１３８】
権利入賞玉検出スイッチ１２０ａの検出に基づいて確率向上判定手段１９８が確率向上状態にするか否かの抽選判定を行なう。その抽選判定の判定結果が確変用可変表示制御手段１９７に与えられるとともに確率向上手段１９５にも与えられる。確変用可変表示制御手段１９７は、特定可変表示装置９９を可変表示制御するものであり、権利入賞玉検出スイッチ１２０ａの検出出力に基づいて特定可変表示装置９９を可変開始させた後停止制御する。その停止制御の際に、確率向上判定手段から確変にする旨の判定結果が与えられている場合には当り図柄（たとえば１，３，５，７のいずれか）で特定可変表示装置９９を停止させる。確率向上判定手段から否確変判定結果が与えられている場合には確変用可変表示制御手段１９７は当り図柄以外の図柄で特定可変表示装置９９を停止制御する。
【０１３９】
確率向上手段１９５は、普通図柄表示装置１１の表示結果を当り（ぞろ目）の表示結果にするか否かを事前決定する機能を有し、その決定の際に、確率向上判定手段から確率向上（確変）にする旨の判定結果が与えられている場合には、高い確率で当りとなるように判定し、確率向上判定手段１９８から否確変の判定結果が与えられている場合には低確率で当りとなるように判定する。この確率向上手段１９５による当りはずれの判定は、普通図柄表示装置作動口スイッチ９５ａの検出出力が導出表示された瞬間に行なわれる。
【０１４０】
普通図柄用可変表示制御手段１９４ａは、普通図柄表示装置１１を可変表示制御するものであり、普通図柄表示装置作動口スイッチ９５ａの検出出力が与えられたときに可変表示を開始させて所定時間経過後に停止制御する。この普通図柄用可変表示制御手段１９４ａには、確率向上手段１９５からの判定結果が与えられ、その判定結果が当り判定結果の場合には当り図柄（ぞろ目）となるように普通図柄表示装置１１を停止制御する。一方、はずれの判定結果が与えられている場合には普通図柄用可変表示制御手段１９４ａは当り図柄以外のはずれ図柄（ぞろ目以外）となるように普通図柄表示装置１１を停止制御する。
【０１４１】
確変用可変表示制御手段１９７内には、表示結果早期導出表示手段１９６が設けられている。この表示結果早期導出表示手段１９６は、図４で説明したものと同様の制御を行なうものである。すなわち、特定可変表示装置９９が可変表示中において、パチンコ玉が再度普通図柄表示装置作動口スイッチ９５ａにより検出されて普通図柄表示装置１１が可変表示した後当り図柄で停止して普通可変入賞球装置１２３が開成し、パチンコ玉が再度権利発生用入賞口１２０に入賞して権利入賞玉検出スイッチ１２０ａにより検出された非常時において、表示結果早期導出表示手段１９６により表示結果早期導出制御が行なわれ、特定可変表示装置９９が早期に停止表示されて表示結果が導出表示される。
【０１４２】
この普通図柄タイプのものにおいても、確率向上判定手段１９８、確変用可変表示制御手段１９７、表示結果早期導出表示手段１９６、確率向上手段１９５、普通図柄用可変表示制御手段１９４ａは、前述した判定図柄用の遊技機と同様のプログラム制御内容である。
【０１４３】
図２２は、普通電動役物（普通可変入賞球装置）１２３の制御を示すサブルーチンプログラムのフローチャートである。まずＳＩ０１により、普通電動役物（普通電役）１２３が開成中であるか否かの判断がなされる。開成中の場合には制御がＳＩ０８へ進むが、開成中でない場合にはＳＩ０２により、普通電役開成フラグがＯＮになっているか否かの判断がなされる。この普通電役開成フラグは、図１２のＳＥ０２における「振分装置誘導フラグ」と同様のものである。このフラグがＯＮになっていない場合にはＳＩ０３へ進み、権利入賞玉検出スイッチがＯＮになっているか否かの判断がなされ、なっていない場合にはＳＩ０４へ進み、権利入賞口異常フラグがセットされる。このＳＩ０３、ＳＩ０４の制御は、図１２のＳＥ１４、ＳＥ１５と同様のものである。
【０１４４】
ＳＩ０２によりＹＥＳの判断がなされた場合にはＳＩ０５により、当りフラグがセットされているか否かの判断がなされる。この当りフラグは、ＳＰ０３またはＳＱ０３による大当りの判定がなされたときにセットされるフラグである。当りフラグがセットされている場合にはＳＩ０７へ進み、開成タイマをセットする処理がなされる。この開成タイマは、普通電動役物１２３を開成する時間を計時するタイマである。
【０１４５】
次に、ＳＩ０８により、開成タイマが終了したか否かの判断がなされ、未だに終了していない場合にはＳＩ１０へ進み、普通電役１２３を開成する処理がなされる。そして、ＳＩ１１により、権利入賞玉検出スイッチ１２０ａがＯＮになったか否かの判断がなされる。ＯＮになっている場合にはＳＩ１２により、大当り中であるか否かすなわち権利発生中であるか否かの判断がなされ、権利発生中の場合にはＳＩ１４により大当り消滅フラグがセットされて権利が消滅する状態となる。一方、大当り中でない場合にはＳＩ１３へ進み、大当りフラグがセットされるとともに大当り初期化データがセットされる。また、ＳＩ０８により、開成タイマが終了したと判断された場合にはＳＩ０９により、普通電役開成フラグをＯＦＦにして普通電役１２３を閉成する制御が実行されることとなる。
【０１４６】
図２３は、この別実施の形態における遊技制御基板３１側の基本回路５３が遊技制御用に用いる各種ランダムカウンタを説明するための図である。ランダムカウンタ３〜ランダムカウンタ５は、図１５のランダムカウンタ３〜ランダムカウンタ５と同様である。図２３のランダムカウンタ１ａは、普通図柄表示装置１１の当り判定に用いられるカウンタであり、０からカウントアップしてその上限である２５６までカウントアップした後再度０からカウントアップする。ランダムカウンタ２ａは、普通図柄表示装置１１の停止時の表示結果として表示される図柄を事前に決定するために用いられるカウンタであり、０からカウントアップしてその上限である２５６までカウントアップした後再度０からカウントアップする。
【０１４７】
図２４は、乱数に対応した普通図柄表示装置１１の出目図柄を説明するための図である。当たりの場合とはずれの場合によって、ランダムカウンタ２ａ（０〜２５５）の値をそれぞれ対応する図柄に振り分けられている。普通図柄を当たりとする場合には、ランダムカウンタ２ａの値が０〜１９の場合は普通図柄「１」を、２０〜３９の場合は普通図柄「３」を、４０〜５９の場合は普通図柄「５」を、６０〜７９の場合は普通図柄「７」を、８０〜２５５の場合は普通図柄「９」を、普通図柄表示装置１１に表示する。
【０１４８】
また、普通図柄をはずれとする場合には、ランダムカウンタ２ａの値が０〜５０の場合は普通図柄「０」を、５１〜１０１の場合は普通図柄「２」を、１０２〜１５２の場合は普通図柄「４」を、１５３〜２０３の場合は普通図柄「６」を、２０４〜２５５の場合は普通図柄「８」を、普通図柄表示装置１１に表示する。
【０１４９】
なお、ランダムカウンタ３を用いての、確率変動継続期間を制御するための期間長さ（回数）を選択する方法は、前述した図１７に基づいて説明した方法と同様に行なわれる。
【０１５０】
図２５は、普通図柄タイプのパチンコ遊技機の動作を示すタイミングチャートであり、（ａ）が従来例を示し、（ｂ）が本発明を示している。まず（ａ）に基づいて従来例を説明する。普通図柄表示装置作動口スイッチ９５ａにより入賞玉が検出されてその検出パルスが導出された段階で普通図柄表示装置１１が可変開始された後所定時間経過して停止制御される。その停止時の表示結果が当り図柄（ぞろ目）であった場合には普通電動役物１２３が開成された後所定時間経過して閉成される。その普通電動役物１２３の開成中に入賞玉が権利入賞玉検出スイッチ１２０ａにより検出されてその検出パルスが導出された段階で、特定可変表示装置９９が可変開始されるとともに、権利発生状態となる。
【０１５１】
この状態で、再度入賞玉が普通図柄表示装置作動口スイッチ９５ａにより検出されてその検出パルスが導出表示されて普通図柄表示装置１１が可変開始した後当り図柄で停止された場合には、再度普通電動役物１２３が開成される。その結果、再度入賞玉が権利入賞玉検出スイッチ１２０ａで検出されて検出パルスが導出されることがある。その場合には、発生している権利が消滅することとなるが、この段階では特定可変表示装置９９がまだ可変表示している最中でありその表示結果が導出表示されていない。したがって、遊技者が確変のための抽選可変表示の表示結果を認識する前の段階で既に権利が消滅してしまうこととなる不都合が生ずる。
【０１５２】
図２５（ｂ）の本発明の場合には、普通図柄表示装置作動口スイッチ９５ａの入賞玉検出パルスの導出によって普通図柄表示装置１１が可変開始した後停止し、その停止表示が当り図柄となった場合には普通電動役物１２３が開成され、入賞玉が権利入賞玉検出スイッチ１２０ａで検出されてその検出パルスに応答して特定可変表示装置が可変開始されるとともに権利発生状態となる。ここまでは、図２５（ａ）に示した従来例と同じである。
【０１５３】
そして、再度普通図柄表示装置作動口スイッチ９５ａからの入賞玉の検出パルスが導出されて普通図柄表示装置１１が可変表示した後当り図柄で停止した場合には、普通電動役物１２３が開成される。そしてその普通電動役物１２３に進入したパチンコ玉が権利入賞玉検出スイッチ１２０ａにより検出されてその検出パルスが導出される。このような非常時においては、表示結果早期導出表示手段（１９６）の働きにより、２回目の権利入賞玉検出スイッチ１２０ａによる検出パルスと同時に（または３秒程度遅れて）特定可変表示装置９９が停止制御される。一方、この表示結果早期導出表示手段１９６が図１９に示した他の例の場合には、権利入賞玉検出スイッチ１２０ａからの２回目の検出パルスの導出よりも先に特定可変表示装置９９が停止されてその表示結果が導出表示される。
【０１５４】
次に、以上説明した実施の形態により奏される主な効果をまとめて説明する。
当り玉受入凹部９１（または当り玉入賞口９１ａ）に入賞した入賞玉に基づいて権利発生状態にするか否かの権利発生判定を行ない、確変玉受入凹部１９３（または確変玉入賞口１９３ａ）に入賞した入賞玉に基づいて確率向上状態にするか否かの確率向上判定を行ない、確率向上判定と権利発生判定とを別個に判定することで、権利発生状態が生ずる前に確率が向上した確率向上状態となることがあり、遊技の興趣を向上させることができる。しかも、特別入賞装置８内に進入した遊技球が回転体９０によってどの入賞領域に振分けられるかによって確率向上状態となったり権利発生状態となり、特別入賞装置８内への遊技球の入賞後いずれの入賞領域に入賞するかというスリルを遊技者に味わわせることができる。
【０１５５】
前述したように、権利発生状態に制御されていないときであっても、普通可変入賞球装置１５に打玉が入賞し、特定入賞口スイッチ６９により検出されることにより景品玉が遊技者に付与されるため、遊技者による一方的な浪費を抑えることができる。さらに、確率向上状態であるときにおいては、確率向上期間の終了時条件が判定図柄表示装置１０の表示結果が特定の表示態様となる大当り状態となり、権利発生状態に制御されるため、遊技の興趣を向上させることができる。
【０１５６】
前述したように、判定図柄表示装置１０の表示結果が特定の表示態様となり権利が発生することに応じて、向上していた確率を向上前の確率に降下させるため、遊技場側と遊技者側とのそれぞれに対する利潤のバランスを調整することができ遊技の射幸性を抑えることができる。また、確率向上状態が終了となる契機を、遊技者に容易に認識させることができ、判定図柄表示装置１０の表示結果が特定の表示態様となるまで確率向上状態が維持されるので、遊技者は安心して遊技を行なうことができるとともに、確率が降下することと引き換えに権利発生状態による利潤を得ることができる。
【０１５７】
次に、以上説明した実施の形態の変形例や特徴点を以下に列挙する。
（１）  前述した実施形態においては、確変抽出値によって、確率向上状態が終了する所定条件が異なるようにあらかじめ設定している例について説明したが（図７参照）、これに限らず、一律に判定図柄表示装置１０（または普通図柄表示装置１１）の表示結果として特定の表示態様（当り図柄）が導出表示されることにより確率向上状態が終了するものであってもよい。すなわち、確率向上状態が終了する所定条件として、一律に判定図柄表示装置１０（または普通図柄表示装置１１）の表示結果として特定の表示態様となるように制御するものであってもよい。
【０１５８】
（２）  前述した実施形態における確変継続期間複合化処理として、確率向上状態中に特定可変表示装置９９の表示結果が当り（１，３，５，７のいずれか）となったときに、当りが発生した順番にその当り図柄に対応する確変フラグを記憶バッファに記憶し、当り図柄に対応する所定条件が成立したか否かを判別し、成立したときにはその対応する確変フラグをクリアし記憶バッファに記憶している次の確変フラグに対応した所定条件の成立を判別する累積手段を採用した例について説明したが、これに限るものではない。たとえば、それぞれの確変フラグ間において優先度を設定し、優先度の高い確変フラグに対応する所定条件の成立を判別する優先手段を採用してもよい。具体的には、確変当り停止図柄が「７」のときにセットされる確変フラグ「０」を優先度１に、確変当り停止図柄が「３」のときにセットされる確変フラグ「１」を優先度２に、確変当り停止図柄が「１」のときにセットされる確変フラグ「２」を優先度３に、確変当り停止図柄が「５」のときにセットされる確変フラグ「３」を優先度４となるように設定し、優先度の低い確変フラグ「３」がセットされているときに当りが発生し、その確変当り停止図柄が「７」、「３」、「１」のうちいずれかであったときには、確変フラグ「３」を確変フラグ「０」，「１」，「２」のいずれかに変更し記憶バッファに記憶させるようにしてもよい。すなわち、優先度の高い確変当り停止図柄であったときには、その当り停止図柄に対応する確変フラグを再セットするようにしてもよい。
【０１５９】
また、前述した累積手段と優先手段とを複合させたものであってもよい。たとえば、確変抽出値により累積手段か優先手段のいずれかをその都度選択するような選択手段を採用するようにしてもよく、これらの選択過程を遊技者に報知するようにしても良い（液晶、ドラム、ランプ表示器等）。これにより、確変抽出値対応可変表示手段の表示結果次第で確変継続期間複合化処理の処理内容が選択されるため、確変抽出値対応可変表示手段の表示結果が導出表示される際に大当りを期待するとともに、確率変動継続期間の制御条件をも期待することができ、遊技を一層盛り上げ興趣を向上させることができる。
【０１６０】
さらに、遊技者への合計出玉数量，使用金額，発射球数または遊技継続時間が所定値に達したことに応じて、累積手段か優先手段のいずれかをその都度選択するような選択手段であってもよい。これにより、遊技者が遊技機へのめりこんでしまうことを防止することができるとともに、遊技者と遊技場の利潤バランスをとることができ、大当りまでの前提ゲームを多様化することができ遊技の興趣を向上させることができる。
【０１６１】
なお、上述した選択手段により累積手段か優先手段のいずれを選択しているのか、または、選択手段により選択される過程を遊技者に報知する表示手段（液晶，ＥＬ，ドラム，ＣＲＴ等）を備えることにより、遊技を一層盛り上げることができるとともに、さらに大当りまでの前提ゲームの内容を多様化させ、遊技の興趣をより一層向上させることができる。また、かかるこまかな設定は、特定可変表示装置９９の当り図柄の出現率を図柄間において偏らせて出現させるようにしてもよい。これにより、確率向上状態中における遊技者の得る利潤と、遊技場側の得る利潤とのバランスがとることができ、遊技の興趣を向上させることができる。
【０１６２】
（３）  前述した入賞球誘導通路１１４に、さらに回転体等からなる玉振分装置を設けてもよい。つまり、入賞球誘導通路１１４を流下してきた入賞球をその玉振分装置で振分け、振分けられた玉の一部が判定図柄表示装置作動口スイッチ９５または普通図柄表示装置作動口スイッチ９５ａにより検出され、振分けられた残りの玉がはずれとなって機外に排出されるように構成してもよい。このように構成すれば、普通電動役物１５への入賞率を高くした場合にも、権利発生状態となる確率（権利発生率）を抑制でき射幸性を抑えることができる。
【０１６３】
（４）  確率向上状態中に再度確変抽出値が確変となる値（５０以上）となったときに、その時点から所定条件が再セットされるようにしてもよい。具体的には、所定数（たとえば、５０個）の玉が当り玉入賞口９１ａに入賞することにより確率向上状態が終了するときにおいて、すでに半分（たとえば、２５個）入賞しているときに、再度確変抽出値が確変となる値（５０以上）となった場合は、その時点から所定条件のカウントダウンが始まる。また、所定回数（たとえば、２回）判定図柄表示装置１０や普通図柄表示装置１１に特定の表示態様が導出表示されることを所定条件とする特別の表示態様であったときには、その導出表示された時点から所定回数のカウントダウンが開始される。また、所定時間（たとえば、１０分）経過することを所定条件とする特別の表示態様であったときには、その導出表示された時点から所定時間のカウントダウンが開始されるようにしてもよい。なお、この場合、永久に確率向上状態で遊技が行なわれ、射幸性を強めてしまう不都合の発生が考えられるため、確変抽出値が確変となる値（５０以上）となることにより確率向上状態を終了させるための所定条件のカウントダウンが更新される更新回数の上限を設けてもよい。たとえば、上限回数を５回としたときには、確率向上状態中に確変抽出値が確変となる値（５０以上）となったことが５回発生し所定条件のカウントダウンが５回更新された後に、６回目の特別の表示態様が導出表示されても所定条件のカウントダウンが更新されないようにしてもよい。または、確変抽出値が確変となる値（５０以上）とならないようにしてもよい。なお、確率向上状態に制御される場合に限らず、開放延長状態に制御される場合も同様とし、２つが融合する遊技機においても同様に構成してもよい。
【０１６４】
（５）  前述した実施形態においては、遊技制御基板３１から、表示制御基板８０、ランプ制御基板３５および音制御基板７０にそれぞれ制御コマンドを送信し、各種機器を制御する例について説明したが、これに限らず、遊技制御基板３１から表示制御基板８０に、図柄表示装置の表示，ランプの点灯，遊技音発生等の演出の制御に関する指令情報として表示制御コマンドを送信するようにし、表示制御基板８０では受信した表示制御コマンドの解析を行ない、解析されたコマンドによって図柄表示装置の表示制御を行ない、ランプ制御基板３５にランプ制御コマンドまたは音制御基板７０に音制御コマンドを設定し送信するようにしてもよい。これにより、演出に関連する機器同士の間で、整合性のとれない不自然な演出が実行されることがなく、質のよい演出を遊技者に提供することができる。
【０１６５】
（６）  前述した実施形態において、普通図柄表示装置１１の表示結果が所定の表示態様となる確率、判定図柄表示装置１０の表示結果が特定の表示態様となる確率を調整することにより、クルーン９０からなる役物抽選装置が備えられていない遊技機であってもよい。
【０１６６】
（７）  権利発生状態となるとともに特定可変表示装置９９の表示結果が確変となる当り図柄となったときには、現時点の権利発生状態の終了を待つことなく現時点の権利発生状態中に確変フラグをセットして確率向上状態にしてもよい。
【０１６７】
（８）  ＳＪ０１〜ＳＪ０３により、前記確率向上状態にするか否かを抽選により判定する確率向上判定手段が構成されている。特定可変表示装置９９により、前記確率向上状態にするか否かの抽選演出表示を行なう確率向上抽選演出表示手段が構成されている。
【０１６８】
（９）  前述した表示結果早期導出表示手段は、権利発生用入賞領域で遊技球が検出される前に特定可変表示装置の表示結果を導出表示させることを特徴とする（確変表示タイマの計時中に判定図柄表示装置が変動中である場合にはＳＨ１２によりＹＥＳとなり大当り判定がある場合にはＳＨ１３によりＹＥＳとなりＳＨ１４により、判定図柄表示装置の残り時間に応じて確変表示タイマが変更設定され、遊技球が権利入賞玉検出スイッチ６６により検出される前に確変表示タイマがタイムアップするように変更設定する）ものであってもよい。これにより、権利発生用入賞領域で遊技球が検出される前に特定可変表示装置の表示結果が導出表示されるために、権利発生状態が消滅するよりも先に遊技者が確率向上状態になるか否かを認識することができる。
【０１６９】
（１０）  前述した実施形態においては、誘導装置として判定用可変表示装置により導出表示された表示結果が予め定められた特定の表示態様となったことを条件として遊技球を権利発生用入賞領域に誘導するものを例として説明したが、これに限らず、判定用可変表示装置の表示結果を導出表示以前に決定する判定用表示結果事前決定手段をさらに備え、該判定用表示結果事前決定手段が表示結果を予め定められた特定の表示態様とすることを決定したときに前記判定用可変表示装置に前記特定の表示態様を表示した後に遊技球を権利発生用入賞領域に誘導する誘導装置であってもよい。
【０１７０】
（１１）  前述した実施形態においては、確率向上手段として特定可変表示装置により導出表示された表示結果が予め定められた特別の表示態様となったことに応じて、前記判定用可変表示装置の表示結果が前記特定の表示態様となる確率を向上させるものを例として説明したが、これに限らず、特定可変表示装置の表示結果を導出表示以前に決定する特定表示結果事前決定手段をさらに備え、該特定表示結果事前決定手段が表示結果を予め定められた特別の表示態様とすることを決定したときに、前記特定可変表示装置に前記特別の表示態様を表示した後に前記権利発生状態が消滅したことにもとづいて該特別の表示態様とすることが決定されなかったときに比べて前記判定用可変表示装置の表示結果が前記特定の表示態様とする旨の決定がなされる確率を向上させる確率向上手段であったもよい。
【０１７１】
（１２）  今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】パチンコ遊技機を正面から見た正面図である。
【図２】パチンコ遊技機の遊技領域を正面から見た正面図である。
【図３】普通電動役物、振分部材および誘導部の構成を詳細に示す正面図である。
【図４】本発明の要部を示す構成図である。
【図５】遊技制御基板における回路構成の一例を示すブロック図である。
【図６】遊技制御基板により実行される遊技制御メイン処理のフローチャートを説明するための図である。
【図７】確率変動継続期間制御処理のサブルーチンプログラムを説明するための図である。
【図８】（ａ）は普通電動役物制御処理のサブルーチンプログラムを説明するための図であり、（ｂ）は確率変動処理のサブルーチンプログラムを説明するための図である。
【図９】判定図柄表示装置制御処理のサブルーチンプログラムを説明するための図である。
【図１０】（ａ）は低確率での大当たり判定処理のサブルーチンプログラムを説明するための図であり、（ｂ）は高確率でのサブルーチンプログラムを説明するための図である。
【図１１】（ａ）は判定図柄表示装置停止処理のサブルーチンプログラムを説明するための図であり、（ｂ）は特定可変表示装置制御処理のサブルーチンプログラムを説明するための図である。
【図１２】振分装置制御処理のサブルーチンプログラムを説明するための図である。
【図１３】大当り制御処理のサブルーチンプログラムを説明するための図である。
【図１４】乱数更新処理のサブルーチンプログラムを説明するための図である。
【図１５】遊技制御基板側の基本回路が遊技制御に用いる各種ランダムカウンタを説明するための図である。
【図１６】乱数に対応した判定図柄表示装置の出目図柄を説明するための図である。
【図１７】乱数に対応した所定回数を説明するための図である。
【図１８】乱数に対応した対象ゲームを説明するための図である。
【図１９】特定可変表示装置制御処理のサブルーチンプログラムの他の例を示すフローチャートである。
【図２０】判定図柄タイプの第３種のパチンコ遊技機の遊技動作を示すタイミングチャートである。
【図２１】別実施の形態としての普通図柄タイプの第３種のパチンコ遊技機の要部を示す構成図である。
【図２２】別実施の形態としての普通電動役物制御処理のサブルーチンプログラムを説明するための図である。
【図２３】別実施の形態における遊技制御基板側の基本回路が遊技制御に用いる各種ランダムカウンタを説明するための図である。
【図２４】乱数に対応した普通図柄表示装置の出目図柄を説明するための図である。
【図２５】別実施の形態における普通図柄タイプの第３種のパチンコ遊技機の遊技動作を示すタイミングチャートである。
【符号の説明】
１  パチンコ遊技機、２  ガラス扉枠、３  打球供給皿、４  余剰玉受皿、６遊技盤、７  遊技領域、８ａ  特別装置、１０  判定図柄表示装置、１１  普通図柄表示装置、１２  普通電動役物作動口、１３  普通電動役物作動口スイッチ、９５  判定図柄表示装置作動口スイッチ、１５  普通可変入賞球装置、１６可動部材、１７  特定入賞口用ソレノイド、１８  第３種始動入賞口、１９  特別可変入賞球装置、２０  第３種始動口入賞玉検出スイッチ、２２  第３種特別電動役物用ソレノイド、２３  カウントスイッチ、２４  カウント表示器、２７  スピーカ、３１  遊技制御基板、３５  ランプ制御基板、３７  払出制御基板、６２  回転体、６３  玉受入凹部、６５  はずれ入賞口、６６、１２０ａ  権利入賞玉検出スイッチ、６８  権利入賞口、６９  特定入賞口スイッチ、７０音制御基板、７１  駆動制御基板、８０  表示制御基板、９３  回転体用モータ、９９  特定可変表示装置、１９６  表示結果早期導出表示手段、１９５  確率向上手段、９８  通常入賞玉検出スイッチ、９１ａ  当り玉入賞口、９２ａ  はずれ玉入賞口。
【図１】
2004208916.tif 000003
【図２】
2004208916.tif 000004
【図３】
2004208916.tif 000005
【図４】
2004208916.tif 000006
【図５】
2004208916.tif 000007
【図６】
2004208916.tif 000008
【図７】
2004208916.tif 000009
【図８】
2004208916.tif 000010
【図９】
2004208916.tif 000011
【図１０】
2004208916.tif 000012
【図１１】
2004208916.tif 000013
【図１２】
2004208916.tif 000014
【図１３】
2004208916.tif 000015
【図１４】
2004208916.tif 000016
【図１５】
2004208916.tif 000017
【図１６】
2004208916.tif 000018
【図１７】
2004208916.tif 000019
【図１８】
2004208916.tif 000020
【図１９】
2004208916.tif 000021
【図２０】
2004208916.tif 000022
【図２１】
2004208916.tif 000023
【図２２】
2004208916.tif 000024
【図２３】
2004208916.tif 000025
【図２４】
2004208916.tif 000026
【図２５】
2004208916.tif 000027